(57)【要約】      （修正有）【課題】綴じ具に綴じるための綴じ孔を穿孔したときに出るかすが散乱しないパンチを提供する。【解決手段】カバー体３００に取り付けられるパンチ１０であって、カバー体３００の一方の主面に配設されるベース体１２と、前記ベース体１２に配設されたパンチ体とを備え、前記パンチ体は、ベース体１２の被穿孔材に向けて接近するように形成され、且つ被穿孔材を穿孔するパンチ刃がベース体１２に向けて突設され、ベース体１２は、前記パンチ刃を挿入する穿孔穴３２が形成されたダイ部３０が設けられ、穿孔穴３２は、穿孔方向の先であって穿孔穴３２の少なくとも一部を覆うかす受け体３５０が配設されている。【選択図】図５
2016124058.tif 000002
【特許請求の範囲】
【請求項１】
カバー体に取り付けられるパンチであって、カバー体の一方の主面に配設されるベース体と、
前記ベース体に配設されたパンチ体とを備え、
前記パンチ体は、ベース体の被穿孔材に向けて接近するように形成され、且つ被穿孔材を穿孔するパンチ刃がベース体に向けて突設され、
ベース体は、前記パンチ刃を挿入する穿孔穴が形成されたダイ部が設けられ、
穿孔穴は、穿孔方向の先であって穿孔穴の少なくとも一部を覆うかす受け体が配設された、パンチ。
【請求項２】
かす受け体は、カバー体に形成され、
ベース体に取り付けられたカバー体のかす受け体が、穿孔穴の外から穿孔穴の穴内に進入し、穿孔穴の少なくとも一部を覆う、請求項１に記載のパンチ。
【請求項３】
かす受け体は、弾力性を有するシート状であって、穿孔されて出たかすを穿孔穴の内部に滞留させ、且つ、撓めて滞留したかすを外に取出せるように形成された、請求項１又は請求項２に記載のパンチ。
【請求項４】
かす受け体は、穿孔穴の出口の近傍において、穿孔穴の外から穿孔穴の穴内に、かす受け体の主面が穿孔穴の軸心と交差する方向であって穿孔穴の径方向に進入し、かす受け体の主面が穿孔穴の少なくとも一部を覆う、請求項１ないし請求項３のいずれかに記載のパンチ。
【発明の詳細な説明】
【技術分野】
【０００１】
本発明は、パンチに関し、特に、例えばファイル・バインダー等の用紙を綴じるための綴じ具に挿脱自在に挿通する綴じ孔を用紙に穿設するためのパンチに関する。
【背景技術】
【０００２】
従来、紙を綴じるための綴じ具を表紙に配設してなるファイルが提供され、綴じ孔が穿設されていない紙の辺縁部に沿って複数個の綴じ孔を穿設することができるパンチが所望され、特開平９−１５５７９５号公報（以下、特許文献１という）のパンチが提案されている。
【先行技術文献】
【特許文献】
【０００３】
【特許文献１】特開平９−１５５７９５号公報
【発明の概要】
【発明が解決しようとする課題】
【０００４】
特許文献１のパンチは、適宜な間隔をおいて、複数パンチ刃が配設されている。綴じ具は、別の部材である鋲等でファイルの表紙に取り付けられる。
ところが、かかるパンチは、パンチが大きくなり、重量が嵩み、パンチをファイルの表紙に取り付けるとより一層重量が嵩むという問題がある。
又、用紙に綴じ孔をあけてファイルに綴じるとき、綴じ孔を開けるパンチがファイルに綴じる場所の近くに在ると非常に便利である。そのために、パンチファイルを携行するために、軽量でコンパクトなパンチが望まれている。
軽量でコンパクトなパンチであって、パンチで穿孔したときに出るかすが散乱しないものが、望まれている。
それゆえに、本発明の主たる目的は、綴じ具に綴じるための綴じ孔を穿孔したときに出るかすが散乱しないパンチを提供することである。
【課題を解決するための手段】
【０００５】
本発明のパンチは、カバー体に取り付けられるパンチであって、カバー体の一方の主面に配設されるベース体と、前記ベース体に配設されたパンチ体とを備え、前記パンチ体は、ベース体の被穿孔材に向けて接近するように形成され、且つ被穿孔材を穿孔するパンチ刃がベース体に向けて突設され、ベース体は、前記パンチ刃を挿入する穿孔穴が形成されたダイ部が設けられ、穿孔穴は、穿孔方向の先であって穿孔穴の少なくとも一部を覆うかす受け体が配設された、パンチ。
本発明の請求項２にかかるパンチは、かす受け体が、カバー体に形成され、ベース体に取り付けられたカバー体のかす受け体が、穿孔穴の外から穿孔穴の穴内に進入し、穿孔穴の少なくとも一部を覆う。
本発明の請求項３にかかるパンチは、かす受け体が、弾力性を有するシート状であって、穿孔されて出たかすを穿孔穴の内部に滞留させ、且つ、撓めて滞留したかすを外に取出せるように形成されている。
本発明の請求項４にかかるパンチは、かす受け体が、穿孔穴の出口の近傍において、穿孔穴の外から穿孔穴の穴内に、かす受け体の主面が穿孔穴の軸心と交差する方向であって穿孔穴の径方向に進入し、かす受け体の主面が穿孔穴の少なくとも一部を覆う。
本発明にかかるパンチは、カバー体に取り付けられるパンチであって、カバー体の一方の主面に配設されるベース体と、前記ベース体に配設されたパンチ体とを備え、前記パンチ体は、ベース体の被穿孔材に向けて接近するように形成され、且つ被穿孔材を穿孔するパンチ刃がベース体に向けて突設され、ベース体は、前記パンチ刃を挿入する穿孔穴が形成されたダイ部が設けられ、ダイは、穿孔方向の先であって穿孔穴の少なくとも一部を覆うかす受け体が配設された、パンチであってもよい。
本発明にかかるパンチは、カバー体に取り付けられたパンチが、カバー体の一方の主面に配設されるベース体と、前記ベース体及び／又は取付け体に配設されたパンチ体とを備え、前記取付け体がベース体に連結されて、取付け体とベース体との間にカバー体が挟持され、前記パンチ体は、被穿孔材を穿孔するパンチ刃をベース体に向けて突設され、
ベース体は、前記パンチ体のパンチ刃を挿入する穿孔穴が形成されたダイ部を設けられ、穿孔穴は、穿孔方向の先であって穿孔穴の少なくとも一部を覆うかす受け体が配設されている、パンチ付きファイルとしてもよい。
本発明は、カバー体に取り付けられたパンチが、カバー体の一方の主面に配設されるベース体と、前記ベース体及び／又は取付け体に配設されたパンチ体とを備え、前記取付け体がベース体に連結されて、取付け体とベース体との間にカバー体が挟持され、前記パンチ体は、被穿孔材を穿孔するパンチ刃をベース体に向けて突設され、ベース体は、前記パンチ体のパンチ刃を挿入する穿孔穴が形成されたダイ部を設けられ、ダイは、穿孔方向の先であって穿孔穴の少なくとも一部を覆うかす受け体が配設されている、パンチ付きファイルとしてもよい。
本発明は、かす受け体が、カバー体のベース体に取付けられる取付け凹部に形成され、ベース体に取り付けられたカバー体のかす受け体が、穿孔穴の近傍に設けられた進入孔に挿入されて穿孔穴の外から穿孔穴の穴内に進入し、穿孔穴の少なくとも一部を覆う。
本発明は、かす受け体は、穿孔穴の出口の近傍において、穿孔穴の近傍に設けられた進入孔に挿入されて穿孔穴の外から穿孔穴の穴内に、かす受け体の主面が穿孔穴の軸心と交差する方向であって穿孔穴の径方向に進入し、かす受け体の主面が穿孔穴の少なくとも一部を覆う、パンチ付きファイルとしてもよい。
本発明は、かす受け体は、カバー体の取り付け体に取り付けられる領域に隣接した領域より高く突き出し設けられた平面視U字型ないしは円弧状の舌状片であって、カバー体が取付け体に向けて挿入される方向に向けて突設されている、パンチ付きファイルとしてもよい。
本発明は、カバー体のかす受け体を挿入する進入孔が、ベース体の取付け体を構成する第１取付け部及び／又は第２取付け部及び／又は第３取付け部の突出部の根本の下方において、突出部の突き出し方向とは反対側に向けて形成されている、パンチ付きファイルとしてもよい。
本発明は、カバー体のかす受け体を挿入する進入孔が、ベース体のカバー体接合面から下方に向けて傾斜した孔壁を有し、カバー体のかす受け体は、該孔壁にそって湾曲させられ、ダイ部の穿孔穴の出口の近傍に突き出されている、パンチ付きファイルとしてもよい。
【発明の効果】
【０００６】
この発明によれば、綴じ具に綴じるための綴じ孔を穿孔したときに出るかすが散乱しないファイルを提供することができる。
本発明の請求項２にかかるパンチは、かす受け体が、カバー体に形成され、
ベース体に取り付けられたカバー体のかす受け体が、穿孔穴の外から穿孔穴の穴内に進入し、穿孔穴の少なくとも一部を覆うので、綴じ具に綴じるための綴じ孔を穿孔したときに出るかすが散乱しないパンチを提供することができる。
本発明の請求項３にかかるパンチは、かす受け体が、弾力性を有するシート状であって、穿孔されて出たかすを穿孔穴の内部に滞留させ、且つ、撓めて滞留したかすを外に取出せるように形成されているので、綴じ具に綴じるための綴じ孔を穿孔したときに出るかすが散乱しないパンチを提供することができる。
本発明の請求項４にかかるパンチは、かす受け体が、穿孔穴の出口の近傍において、穿孔穴の外から穿孔穴の穴内に、かす受け体の主面が穿孔穴の軸心と交差する方向であって穿孔穴の径方向に進入し、かす受け体の主面が穿孔穴の少なくとも一部を覆うので、綴じ具に綴じるための綴じ孔を穿孔したときに出るかすが散乱しないパンチを提供することができる。
【図面の簡単な説明】
【０００７】
【図１】本発明の一実施の形態であるパンチを付設したファイルを示した斜視図であ    る。
【図２】本発明の一実施の形態であるパンチを付設するファイルを示した斜視図であ    る。
【図３】パンチをカバー体に取付ける方法を示す平面図解図である。
【図４】カバー体の一部分の平面図解図である。
【図５】図１のパンチのベース体周辺の平面図解図である。
【図６】図１のパンチのベース体周辺の図解図であり、（ａ）は左側面（図１Ｖｉｅ    ｗＡ）図解図であり（ｂ）は、右側面（図１ＶｉｅｗＢ）図解図である。
【図７】図１のパンチの平面図解図である。
【図８】図１のパンチのベース体の図解図であり、（ａ）は平面図解図であり、（ｂ    ）は底面図解図である。
【図９】図１のパンチのベース体の図解図であり、（ａ）は左側面図解図であり、（    ｂ）は右側面図解図である。
【図１０】図７Ｃ−Ｃ拡大断面図解図である。
【図１１】図７Ｄ−Ｄ拡大断面図解図である。
【図１２】図７Ｅ−Ｅ拡大断面図解図である。
【図１３】図７Ｆ−Ｆ拡大断面図解図である。
【図１４】図７Ｇ−Ｇ拡大断面図解図である。
【図１５】図７Ｈ−Ｈ拡大断面図解図である。
【図１６】図７Ｉ−Ｉ拡大断面図解図である。
【図１７】ベース体の拡大図解図であり、（ａ）は、図８Ｋ部の拡大図解図であり、    （ｂ）は、Ｍ−Ｍ拡大図解図であり、（ｃ）は、Ｌ部拡大図解図であり、（ｄ）は、    Ｌ−Ｌの拡大図解図であり、（ｅ）は、Ｏ−Ｏ拡大図解図である。
【図１８】パンチ体の図解図であり、（ａ）は平面図解図であり、（ｂ）は底面図解    図である。
【図１９】パンチ体の図解図であり、（ａ）は左側面図解図であり、（ｂ）は右側面    図解図である。
【図２０】パンチ体の図解図であり、図７Ｃ−Ｃ拡大断面図解図である。
【図２１】パンチ体の図解図であり、図７Ｄ−Ｄ拡大断面図解図である。
【図２２】パンチ体の図解図であり、図７Ｅ−Ｅ拡大断面図解図である。
【図２３】パンチ体の図解図であり、図７Ｆ−Ｆ拡大断面図解図である。
【図２４】パンチ体の図解図であり、図７Ｇ−Ｇ拡大断面図解図である。
【図２５】パンチ体の図解図であり、図７Ｈ−Ｈ拡大断面図解図である。
【図２６】パンチ体の図解図であり、図７Ｉ−Ｉ拡大断面図解図である。
【図２７】図１図示パンチによる穿孔方法を示す平面図解図である。
【図２８】図１図示パンチによる穿孔方法を示す図２７Ｃ−Ｃ断面図解図である。
【図２９】図１図示パンチによる穿孔方法を示す図２７Ｄ−Ｃ断面図解図である。
【図３０】図１図示パンチによる穿孔方法を示す図２７Ｅ−Ｅ断面図解図である。
【図３１】図１図示パンチによる穿孔方法を示す図２７Ｆ−Ｆ断面図解図である。
【図３２】図１図示パンチによる穿孔方法を示す図２７Ｊ−Ｊ断面図解図である。
【図３３】図１図示パンチによる穿孔方法を示す平面図解図である。
【図３４Ａ】図１のパンチの開く方法を示す横断面図解図である。
【図３４Ｂ】図１のパンチの開く方法を示す横断面図解図である。
【図３５】図１のパンチの開く方法を示す横断面図解図である。
【図３６】本発明の第２の実施の形態であるパンチを付設したファイルを示した斜視    図である。
【図３７】本発明の第２の実施の形態であるパンチを付設するファイルを示した斜視    図である。
【図３８】本発明の第２の実施の形態であるパンチの平面図解図である。
【図３９】本発明の第２の実施の形態であるパンチの正面図解図である。
【図４０】カバー体の平面図解図である。
【図４１】本発明の第２の実施の形態であるパンチのベース体の図解図であり、（ａ    ）は平面図解図、（ｂ）は底面図解図である。
【図４２】本発明の第２の実施の形態であるパンチのベース体の図解図であり、（ａ    ）は左側面図解図、（ｂ）は右側面図解図、（ｃ）は背面図解図、（ｄ）は正面図解    図である。
【図４３】ベース体の拡大図解図であり、（ａ）は、図４１Ｒ−Ｒ拡大図解図であり    、（ｂ）は、図４１Ｓ−Ｓ拡大図解図である。
【図４４】本発明の第２の実施の形態であるパンチの取付け体の図解図であり、（ａ    ）は平面図解図、（ｂ）は底面図解図である。
【図４５】本発明の第２の実施の形態であるパンチの取付け体の図解図であり、（ａ    ）は左側面図解図、（ｂ）は右側面図解図、（ｃ）は背面図解図、（ｄ）は正面図解    図である。
【図４６】本発明の第２の実施の形態であるパンチの取付け体の拡大図解図であり、    （ａ）は、図４１Ｔ−Ｔ拡大図解図であり、（ｂ）は、図４１Ｕ−Ｕ拡大図解図であ    る。
【図４７】パンチ体の図解図であり、（ａ）は平面図解図であり、（ｂ）は底面図解    図である。
【図４８】パンチ体の図解図であり、（ａ）は左側面図解図であり、（ｂ）は右側面    図解図であり、（ｃ）は背面図解図であり、（ｄ）は正面図解図である。
【図４９】パンチ体の拡大図解図であり、（ａ）は、図４７Ｖ−Ｖ拡大図解図であり    、（ｂ）は、図４７Ｗ−Ｗ拡大図解図である。
【図５０】図３６図示パンチによる穿孔方法を示す正面図解図である。
【図５１】図３６のパンチの開く方法を示す横断面図解図である。
【図５２Ａ】図３６のパンチの開く方法を示す横断面図解図である。
【図５２Ｂ】図３６のパンチの開く方法を示す横断面図解図である。
【図５３】図１及び図３６のパンチにより穿孔された紙を示した平面図解図である。
【図５４】パンチ刃の変形例の断面図解図である。
【図５５】案内係合凸部の変形例の断面図解図である。
【図５６】案内係合凹部の変形例の断面図解図である。
【発明を実施するための形態】
【０００８】
本発明にかかるパンチ１０は、二つの穿孔穴を穿孔できる２穴型パンチで、ファイルの表紙等のカバー体３００に取り付けられるパンチ１０であって、カバー体３００の一方の主面に配設されるベース体１２と、前記ベース体１２に配設されたパンチ体１４とを備える。
【０００９】
前記パンチ体１４は、ベース体１２の用箋等の被穿孔材Ｐに向けて接近するように形成され、且つ被穿孔材Ｐを穿孔するパンチ刃１６０がベース体１２に向けて突設されている。
パンチ体１４は、前後方向において適宜な間隔をおいて形成された二つのパンチ刃１６０を有している。
ベース体１２は、二つの前記パンチ刃１６０を挿入する穿孔穴３２が形成されたダイ部３０が設けられている。
ベース体１２は、前後方向において適宜な間隔をおいて形成された二つのパンチ刃１６０に対応して形成された二つの穿孔穴３２を有している。
穿孔穴３２は、穿孔方向の先であって穿孔穴３２の少なくとも一部を覆うかす受け体３５０が配設されている。
ダイは、穿孔方向の先であって穿孔穴３２の少なくとも一部を覆うかす受け体３５０が配設されている。
【００１０】
かす受け体３５０は、カバー体３００に形成されており、ベース体１２に取り付けられたカバー体３００のかす受け体３５０が、ダイ部３０の側方で穿孔穴３２の外から穿孔穴３２の穴内に進入し、穿孔穴３２の少なくとも一部を覆う。
【００１１】
かす受け体３５０は、穿孔穴３２の出口の近傍において、穿孔穴３２の外から穿孔穴３２の穴内に、カバー体３００に形成されたかす受け体３５０の主面（表面）が穿孔穴３２の軸心と交差する方向であって穿孔穴３２の径方向に進入し、かす受け体３５０の主面（表面）がパンチ刃１６０の方向を向いて穿孔穴３２の少なくとも一部を覆う。
【００１２】
かす受け体３５０は、弾力性を有するシート状のカバー体３００の一部であって、穿孔されて出たかすを穿孔穴３２の内部に滞留させ、且つ、撓めて滞留したかすを外に取出せるように形成されている。
【００１３】
かす受け体３５０は、穿孔穴３２の半分の所にその先端が位置する。
それゆえに、かすＰｄの主面の半分位を保持する。
【００１４】
かす受け体３５０はその先端に指又は指の爪を引っ掛けて、穿孔方向に向けて撓ませると、穿孔穴３２の出口の殆ど全部が開口して、かすＰｄが落ちる。
ベース体１２は、ベース体１２がカバー体３００の他方の主面に配設された領域及び／又はその近傍において、取付け体１６が形成されている。
前記取付け体１６は、ベース体１２の側の領域においてカバー体３００が連結される。
前記パンチ体１４は、ベース体１２に載置された被穿孔材Ｐに向けて接近するように形成され、且つ被穿孔材Ｐを穿孔するパンチ刃１６０がベース体１２に向けて突設されている。
ベース体１２は、前記パンチ刃１６０を挿入するダイ部３０が設けられている。
【００１５】
（ベース体）
ベース体１２は、配設されたカバー体３００に接合する平面を有するカバー体接合面２２と、机上等の載置面に接合するパンチ設置面２４とを有するベース本体２０と、ベース本体２０の厚さ方向に穿設されたパンチ刃１６０を挿入する穿孔穴３２を有するダイ部３０と、カバー体３００を取り付けるための取付け体１６と、パンチ体１４を回動自在に取り付けるための枢支軸を構成するパンチ体取付け部８０とを備える。
【００１６】
ベース本体２０は、その中央に立ち上がり部２６を形成された平面視方形の平板状体である。
立ち上がり部２６は、その上面に被穿孔材Ｐを載置するための被穿孔材載置面２８が形成されている。
被穿孔材載置面２８は、平面状であり、且つ、パンチ設置面２４は、平面状であり、被穿孔材載置面２８とパンチ設置面２４とは平行な面である。
ダイ部３０は、ベース体１２の略々中央に配設されている。
ベース本体２０は、その下面にパンチ１０を机上等に載置するに適する平面を有するパンチ設置面２４が形成されている。
ダイ部３０は、ベース体１２の略々中央に配設されている。
ベース本体２０は、立ち上がり部２６及びダイ部３０も含め全体が、薄い平板状である。
【００１７】
取付け体１６は、カバー体３００にベース体１２を左右方向において確実に固定するために、前後方向に分かれて形成された、第１取付け部４０と、第１取付け部４０の間において、前後方向に分かれて形成された第２取付け部５０とを有する。
更に、取付け体１６は、カバー体３００にベース体１２を前後方向において固定するために、前後方向において分かれた形成された、第３取付け部６０を有する。
【００１８】
取付け体１６を構成する、第１取付け部４０、第２取付け部５０及び第３取付け部６０は、ベース体１２のカバー体３００を接合する面側から突設された立ち上がり部２６及び／又は立ち上がり面と、該立ち上がり部２６及び／又は立ち上がり面から、ベース体１２のカバー体３００を接合する面（カバー体接合面２２）側に沿って張り出された突出部３６とを備える。
前記突出部３６は、前記立ち上がり部２６に向けて挿入されたカバー体３００を取り付けるように形成されている。
【００１９】
前記ベース体１２は、カバー体３００を配設するためのカバー体接合面２２と、ベース体１２のカバー体３００を配設する面（カバー体接合面２２）から突設された立ち上がり部２６とを備える。
立ち上がり部２６には、被穿孔材Ｐを穿孔するために被穿孔材Ｐを載置する被穿孔材載置面２８が形成されている。
被穿孔材載置面２８は、前記立ち上がり部２６の上面に形成された、被穿孔物Ｐを載置するための第１載置面２８ａと、前記立ち上がり部２６から前記カバー体接合面２２及び／又は第１載置面２８ａに沿って張り出された突出部３６の上面に形成された、被穿孔物Ｐを載置するための第２載置面２８ｂとを備える。
前記第１載置面２８ａ及び第２載置面２８ｂは、前記カバー体接合面２２より立ち上がり部２６の高さに対応してカバー体接合面２２より高い位置にある平面である。
【００２０】
前記突出部３６は、立ち上がり部２６の周辺のカバー体接合面２２に向けて、庇状に張り出され、突出部３６とカバー体接合面２２との間に挿入されたカバー体３００を取付けるように形成されている。
前記突出部３６は、庇状であり、カバー体３００が挿入される側にカバー体取付け凸部３８が形成されている。
突出部３６は、立ち上がり部２６の平面状の上面に続く平面状の上面を有し、突出部３６の上面と立ち上がり部２６の上面とは、全体が平面となる。
立ち上がり部２６の上面と突出部３６とによって形成された被穿孔材載置面２８は、平面状である。
【００２１】
前記カバー体取付け凸部３８は、突出部３６の下方に挿入されたカバー体３００の取り付け貫通孔（カバーの第２取付け部３３０の第１取付け貫通孔３３２及び第２取付け貫通孔３３４並びにカバーの第３取付け部３４０の第１取付け貫通孔３４２及び第２取付け貫通孔３４４）に係止または係合させて、カバー体３００を突出部３６に取付ける。
【００２２】
第１取付け部４０は、パンチ刃１６０を挿入するダイ部３０の穿孔穴３２の右側に該孔の近傍、すなわち被穿孔材Ｐの挿入する方向とは反対側の該孔の近傍において、ダイ部３０より連続する立ち上がり部２６から右側に向けて、突出部３６を構成する第１突出部４２及び第２突出部４６が突設されている。
第１取付け部４０は、前後方向に分かれて形成された一対のパンチ刃１６０を挿入する穿孔穴３２に対応して、前後方向に分かれて、一対形成されている。
【００２３】
第２取付け部５０は、ダイ部３０のパンチ刃１６０を挿入する穿孔穴３２の内側で該穿孔穴３２の近傍において、左側、すなわち被穿孔材Ｐの挿入する方向に入り込んだ位置において、立ち上がり部２６が形成され、右側に向けて、突出部３６を構成する第１突出部５２及び第２突出部５６が突設されている。
前記第１突出部５２及び第２突出部５６は、庇状であり、カバー体３００が挿入される側に第１カバー体取付け凸部３８ａが形成されている。
前記第１カバー体取付け凸部３８ａは、挿入されたカバー体の取り付け貫通孔（カバーの第２取付け部の３３０の第１取付け貫通孔３３２及び第２取付け貫通孔３３４）に係止または係合されて、カバー体３００が第１突出部５２及び第２突出部５６に取付けられる。
第２取付け部５０は、前後方向に分かれて形成された一対のパンチ刃１６０を挿入する穿孔穴３２に対応して、前後方向に分かれて、一対形成されている。
【００２４】
第３取付け部６０は、パンチ刃１６０を挿入する向こう側の穿孔穴３２の向こう側と手前側とに分かれて形成されている。第３取付け部６０は、該穿孔穴３２の近傍において、ダイ部３０より連続する向こう側であって、立ち上がり部２６から向こう側に向けて突出部３６を構成する第１突出部６２が突設され、且つ、ダイ部３０より連続する手前側であって、立ち上がり部２６から手前側に向けて突出部３６を構成する第２突出部６６が突設されている。
前記第１突出部６２及び第２突出部６６は、庇状であり、カバー体３００が挿入される側に第２カバー体取付け凸部３８ｂが形成されている。
前記第２カバー体取付け凸部３８ｂは、挿入されたカバー体の取り付け貫通孔（カバーの第３取付け部３４０の第１取付け貫通孔３４２及び第２取付け貫通孔３４４）に係止または係合されて、カバー体３００が第１突出部６２及び第２突出部６６に取付けられる。
【００２５】
第１取付け部４０の第１突出部４２及び第２突出部４６と第２取付け部５０の第１突出部５２及び第２突出部５６とは、そののびる方向が平行である。
第１取付け部４０の第１突出部４２及び第２突出部４６並びに第２取付け部５０の第１突出部５２及び第２突出部５６と第３取付け部６０の第１突出部６２及び第２突出部６６とは、そののびる方向が直交している。
第１取付け部４０の第１立ち上がり部４４及び第２立ち上がり部４８と第２取付け部５０の第２立ち上がり部５４及び第２立ち上がり部５８とは、カバー体３００の高さ方向にのびる。
第３取付け部６０の第２立ち上がり部６４及び第２立ち上がり部６８は、カバー体３００の幅方向にのびる。
【００２６】
カバー体接合面２２にカバー体３００の一方主面（外側面）が接合する。
カバー体３００の他方主面（内側面）は、第１取付け部４０の第１突出部４２及び第２突出部４６に、接合する。
カバー体３００の他方主面（内側面）は、第２取付け部５０の第１突出部５２及び第２突出部５６に接合する。
カバー体３００の他方主面（内側面）は、第３取付け部６０の第１突出部６２及び第２突出部６６に接合する。
【００２７】
ダイ部３０は、カバー体接合面２２より高い平面視略方形の丘状の立ち上がり部２６に形成されている。
ダイ部３０は、頂面が平面であり、且つ、底面が平面である。
ダイ部３０は、その中央を中心に前後方向に分かれて、パンチ刃１６０を挿入するための穿孔穴３２が、前後一対穿設されている。穿孔穴３２は、ダイ部３０の上面から垂下する壁面を有している。穿孔穴３２は、パンチ設置面２４及び被穿孔材載置面２８と直交する壁面を有する。
【００２８】
（かす受け体）
カバー体３００のかす受け体３５０を挿入する進入孔１３０は、ベース体１２の取付け体１６を構成する第１取付け部４０及び／又は第２取付け部５０及び／又は第３取付け部６０の突出部３６の根本の下方において、突出部３６の突き出し方向とは反対側に向けて形成されている。
この発明の実施の形態においては、第１取付け部４０の突出部３６の根本の下方において、突出部３６の突き出し方向とは反対側に向けて形成されている。
【００２９】
カバー体３００のかす受け体３５０を挿入する進入孔１３０は、ベース体１２のカバー体接合面２２から下方に向けて傾斜した孔壁（上側の孔壁１３２及び下側の孔壁１３４）を有し、カバー体３００のかす受け体３５０は、該孔壁にそって湾曲させられ、ダイ部３０の穿孔穴３２の出口の近傍に突き出されている。
（上側の）孔壁１３２は、第１取付け部４０の突出部３６の下方に形成されている。
（下側の）孔壁１３４は、ベース体１２のカバー体接合面２２に連続して進入孔１３０側の端縁に形成されている。
【００３０】
かす受け体３５０は、カバー体３００のベース体１２に取付けられる取付け凹部３１２に形成され、
ベース体１２に取り付けられたカバー体３００のかす受け体３５０が、穿孔穴３２の近傍に設けられた進入孔１３０に挿入されて穿孔穴３２の外から穿孔穴３２の穴内に進入し、穿孔穴３２の少なくとも一部を覆う。
【００３１】
かす受け体３５０は、穿孔穴３２の出口の近傍において、穿孔穴３２の近傍に設けられた進入孔１３０に挿入されて穿孔穴３２の外から穿孔穴３２の穴内に、かす受け体３５０の主面が穿孔穴３２の軸心と交差する方向であって穿孔穴３２の径方向に進入し、かす受け体３５０の主面が穿孔穴３２の少なくとも一部を覆う。
【００３２】
かす受け体３５０は、カバー体３００の取付け体１６に取り付けられる領域に隣接した領域より高く突き出し設けられた平面視U字型ないしは円弧状の舌状片であって、カバー体３００が取付け体１６に向けて挿入される方向に向けて突設されている。
【００３３】
（パンチ体の位置決め部）
【００３４】
ベース体１２のパンチ体取付け部８０は、第１軸受け部８０ａ、第２軸受け部８０ｂ及び第３軸受け部８０ｃがベース体１２の長手方向（手前側から向こう側に向かう方向）に一直線状にのびる。
ベース体１２のパンチ体取付け部８０は、第１軸受け部８０ａ、第２軸受け部８０ｂ及び第３軸受け部８０ｃを構成する円弧の中心点（想像上の）を通る軸心Ａｘ１を備える。
パンチ体１４の枢軸部１８０は、第１軸部１８２及び第２軸部１８４を含み、軸がパンチ体１４の長手方向（手前側から向こう側に向かう方向）に一直線状にのびる。
パンチ体１４の枢軸部１８０は、第１軸部１８２及び第２軸部１８４の中心点（想像上の）を通る軸心Ａｘ１を備える。
【００３５】
ベース体１２の第１凹条８２、第２凹条８４及び第３凹条８６は、パンチ体１４の枢軸部１８０の軸受け部であり、パンチ体１４をベース体１２に枢支するための枢支部を構成している。
パンチ体１４は、第１軸部１８２がベース体１２の第１凹条８２に挿入されて枢支される。
パンチ体１４は、第２軸部１８４がベース体１２の第２凹条８４に挿入されて枢支される。
パンチ体１４は、枢軸部１８０の中央領域がベース体１２の第３凹条８６に挿入されて枢支される。
【００３６】
パンチ体１４のパンチ刃１６０は、円柱状（又は多角柱状）の柱であって、その中心点（想像上の）を通る軸心Ａｘ２を備える。
ベース体１２の穿孔穴３２は、横断面円形（又は横断面多角形）の穴であって、穴の中心点（想像上の）を通る軸心Ａｘ５を備える。
案内係合凹部２００は、パンチ刃１６０の円柱状（又は多角柱状）の柱の軸心Ａｘ４に対応して、その中心点（想像上の）を通る軸心Ａｘ４を備える。
案内係合凸部１００は、ベース体１２の穿孔穴３２の軸心Ａｘ５に対応して、その中心点（想像上の）を通る軸心Ａｘ３を備える。
案内係合凸部１００の軸心Ａｘ３とベース体１２にパンチ体１４を枢支する枢支部の軸心Ａｘ１との間の長さＬ１は、案内係合凹部２００の軸心Ａｘ４とベース体１２にパンチ体１４を枢支する枢軸部１８０の軸心Ａｘ１との間の長さＬ２と同一であり、且つパンチ刃１６０の軸心Ａｘ２とベース体１２にパンチ体１４を枢支する枢軸部１８０の軸心Ａｘ１との間の長さＬ３は、穿孔穴３２の軸心Ａｘ５とベース体１２にパンチ体１４を枢支する枢支部の軸心Ａｘ１との間の長さＬ４と同一である。
【００３７】
案内係合凸部１００は、パンチ刃１６０の円柱状又は多角柱状の柱の軸心Ａｘ２及びベース体１２の穿孔穴３２の軸心Ａｘ５に対応して、軸心Ａｘ３を備える。
案内係合凹部２００は、ベース体１２の穿孔穴３２の軸心Ａｘ５及びパンチ刃１６０の円柱状又は多角柱状の柱の軸心Ａｘ２に対応して、軸心Ａｘ４を備える。
案内係合凹部２００の軸心Ａｘ３とパンチ刃１６０の軸心Ａｘ２との間の長さＬ５は、係合凸部２００の軸心Ａｘ４とベース体１２の穿孔穴３２の軸心Ａｘ５との間の長さＬ６と略々同一である。
【００３８】
ベース体１２にパンチ体１４を枢支する枢支部を構成する凹条（第１凹条８２、第２凹条８４及び第３凹条８６）におけるパンチ刃１６０又は穿孔穴３２の側の壁面と案内係合凸部１００（又は案内係合凹部２００）の軸心Ａｘ３との間の長さＬ７は、ベース体１２にパンチ体１４を枢支する枢軸部１８０におけるパンチ刃１６０又は穿孔穴３２の側の表面と案内係合凹部２００（又は案内係合凸部１００）の軸心Ａｘ４との間の長さＬ８と同一であり、且つ、パンチ刃１６０の軸心Ａｘ２とベース体１２にパンチ体１４を枢支する枢支部を構成する凹条（第１凹条８２、第２凹条８４及び第３凹条８６）におけるパンチ刃１６０又は穿孔穴３２の側の壁面との間の長さＬ９は、穿孔穴３２の軸心とベース体１２にパンチ体１４を枢支する枢軸部１８０におけるパンチ刃１６０又は穿孔穴３２の側の表面との間の長さＬ１０と同一である。
【００３９】
ベース体１２にパンチ体１４を枢支する枢支部を構成する凹条（第１凹条８２、第２凹条８４及び第３凹条８６）におけるパンチ刃１６０又は穿孔穴３２の側の壁面と案内係合凸部１００（又は案内係合凹部２００）の軸心Ａｘ３との間の長さＬ７は、ベース体１２にパンチ体１４を枢支する枢軸部１８０におけるパンチ刃１６０又は穿孔穴３２の側の表面と案内係合凹部２００（又は案内係合凸部１００）の軸心Ａｘ４との間の長さＬ８と同一であり、且つ、パンチ刃１６０の軸心Ａｘ２と案内係合凹部２００（又は案内係合凸部１００）の軸心Ａｘ４との間の長さＬ５は、穿孔穴の軸心と案内係合凸部１００（又は案内係合凹部２００）の軸心Ａｘ３との間の長さＬ６と同一である。
【００４０】
案内係合凸部１００は、穿孔するときベース体にパンチ体１４を枢支する軸の軸心Ａｘ１とパンチ刃１６０の軸心Ａｘ２とが略々同一の距離を保って、パンチ刃１６０が穿孔穴３２に嵌入するように、パンチ体１４を枢支する軸の軸心Ａｘ１と略々同一の距離を保って案内係合凸部１００の軸心Ａｘ３が回動するように形成されている（図３４〜３５参照）。
案内係合凹部２００は、穿孔するときベース体にパンチ体１４を枢支する軸の軸心Ａｘ１とパンチ刃１６０の軸心Ａｘ２とが略々同一の距離を保って、パンチ刃１６０が穿孔穴３２に嵌入するように、パンチ体１４を枢支する軸の軸心Ａｘ１と略々同一の距離を保って案内係合凹部２００の軸心Ａｘ４が回動するように形成されている（図３４〜３５参照）。
ベース体１２の穿孔穴３２は、横断面円形又は横断面多角形の穴であって、穴の中心点（想像上の）を通る軸心Ａｘ５を備える。
【００４１】
この発明の実施の形態のパンチ１０は、ダイ部３０を有するベース体１２と、前記ベース体１２に枢支されたパンチ体１４とを有し、ベース体１２及びパンチ体１４は、枢支する軸（枢軸部１８０）の軸心Ａｘ１の近傍において、ベース体１２の穿孔穴３２とパンチ体１４のパンチ刃１６０との相対的位置を決めるための案内係合凸部１００及び案内係合凹部２００が形成されている。
【００４２】
案内係合凸部１００は、ベース体１２のパンチ体１４との対向する面（被穿孔材載置面２８の側の面）及びパンチ体１４のベース体１２との対向する面（パンチ体本体１７０の下面）のうち、一方の面（被穿孔材載置面２８の側の面）に形成され、且つ、案内係合凹部２００は、ベース体１２のパンチ体本体１７０との対向する面及びパンチ体のベース体１２との対向する面のうち、他方の面（パンチ体本体１７０の下面）に形成されている。
案内係合凸部１００は、ベース体１２のパンチ体１４との対向する面及びパンチ体１４のベース体１２との対向する面のうち一方の面（ベース体１２の被穿孔材載置面２８の表面）に、パンチ刃１６０が穿孔穴３２に嵌入するときに係合する位置において形成され、且つ、案内係合凹部２００は、ベース体１２のパンチ体１４との対向する面及びパンチ体１４のベース体１２との対向する面のうち他方の面（パンチ体１４のパンチ本体１７０の下面）に、パンチ刃１６０が穿孔穴３２に嵌入するときに係合する位置において形成されている。
【００４３】
ベース体１２は、その上面すなわちパンチ体１４に対向する面（３０の上面）ダイ部に、パンチ刃１６０を穿孔穴３２に精確に嵌入して穿設するための位置決めガイド部たる案内係合凸部１００が突設されている。
案内係合凸部１００は、パンチ刃１６０が穿孔穴３２に嵌入する前に案内係合凹部２００に到達する形状を有する。
【００４４】
パンチ体１４のパンチ刃１６０は、円柱状又は角柱状の柱であって、側壁部を備える。
案内係合凸部１００は、パンチ体１４の円柱状又は角柱状の柱の側壁部に対応して、横断面円形又は方形の側壁面（パンチ体取付け部８０側の側壁面１０２及び被穿孔材載置面２８側の側壁面１０４）を備える。
パンチ刃１６０の円柱状又は角柱状の柱の側壁部と案内係合凸部１００の横断面円形又は方形の側壁面（パンチ体取付け部８０側の側壁面１０２及び被穿孔材載置面２８側の側壁面１０４）とは、パンチ刃１６０が穿孔穴３２に嵌入したとき、平行である。
案内係合凸部１００は、被穿孔材Ｐを穿孔するときに、パンチ本体１７０の案内係合凹部２００に係合して、パンチ体１４のパンチ刃１６０とベース体１２の穿孔穴３２との位置を精確に決定して、パンチ刃１６０を穿孔穴３２に嵌入して穿孔するように形成されている。
【００４５】
案内係合凸部１００は、ベース体１２のダイ部３０より上方、すなわち、パンチ体１４のパンチ刃１６０側に向けて突設された、角柱状体の突起である。
案内係合凸部１００は、左側（すなわちパンチ体１４の枢軸部１８０側）の側壁面１０２と、右側（すなわち被穿孔材Ｐの差し込み方向とは反対側）の側壁面１０４とが、パンチ設置面２４及び被穿孔材載置面２８と直交する。
案内係合凸部１００は、その頂部の近傍が断面半円弧状の膨出体であり、パンチ体１４の案内係合凹部２００を嵌合し易く構成している。
【００４６】
（パンチ体）
パンチ体１４は、パンチ刃１６０と、パンチ刃１６０をベース体１２に取り付けるためのパンチ本体１７０と、パンチ本体１７０をベース体１２に回動自在に取り付けるための枢軸部１８０とを備える。
【００４７】
パンチ本体１７０は、長さ方向を有する平面視略Ｔ字型の平板状である。
パンチ本体１７０は、その上面の略々全体が平板状であり、その下面の略々全体が平板状である。パンチ本体１７０は、その上面の略々全体とその下面の略々全体とが平行な薄板状体である。
パンチ本体１７０は、その略々中央を中心に前後方向に分かれて、２個のパンチ刃１６０が下向きに突設されている。
枢軸部１８０は、パンチ刃１６０より左側すなわち被穿孔材Ｐの差込方向側に形成され、パンチ本体１７０をベース体１２に枢支するための枢支部を構成する。
【００４８】
パンチ刃１６０は、円柱状ないしは角柱状であり、その先端に先鋭な刃を形成されている。
パンチ刃１６０の円柱状の柱面（側壁部）は、パンチ本体１７０の下面すなわちベース体１２のダイ部３０に向き合う面から垂直に垂れ下がる。
パンチ刃１６０は、ベース体１２の穿孔穴３２の孔の形状よりわずかに小さい底面視円形ないしは方形の刃先を備える。
【００４９】
（パンチ体取付け部）
パンチ刃１６０は、被穿孔材Ｐに穿孔される綴じ孔Ｈに対応した形状である。
前後方向に分かれた２個のパンチ刃１６０は、形状、高さ等同じである。
【００５０】
枢軸部１８０は、パンチ本体１７０の左端縁の近傍において、向こう側から手前側に向けて連続して形成された軸部を備える。
パンチ本体１７０の手前側と向こう側とに分かれて突設された、第１軸部１８２と第２軸部１８４とを有している。
第１軸部１８２は、ベース体１２のパンチ体取付け部８０の第１凹条８２に嵌入されて、パンチ体１４を回動するときの枢軸部を構成する。
第２軸部１８４は、ベース体１２のパンチ体取付け部８０の第２凹条８４に嵌入されて、パンチ体１４を回動するときの枢軸部を構成する。
【００５１】
ベース体１２のパンチ体取付け部８０は、手前側と向こう側とに分かれて形成された、第１凹条８２と第２凹条８４とを備えている。ベース体１２のパンチ体取付け部８０は、パンチ体１４を枢支するための断面略半円形の長い第３凹条８６を備えており、第１凹条８２と第２凹条８４との間の中央において形成されている。
第３凹条８６は、断面円形で、パンチ体１４を回動自在に取り付けられるように形成されている。
【００５２】
第１凹条８２及び第２凹条８４は、手前側と向こう側とに分かれて形成された、第１軸受け部８０ａ及び第２軸受け部８０ｂに形成されている。
第１凹条８２は、被穿孔材Ｐの差し込み方向側（左側）より被穿孔材Ｐの差し込み方向とは反対側（右側）に向けて、パンチ体１４を取り付けるための進入路８２ａが形成されている。
第２凹条８４は、被穿孔材Ｐの差し込み方向側（左側）より被穿孔材Ｐの差し込み方向とは反対側（右側）に向けて、パンチ体１４を取り付けるための進入路８４ａが形成されている。
第３凹条８６は、中央において形成された、第３軸受け部８０ｃに形成されている。
第１軸受け部８０ａ、第２軸受け部８０ｂ及び第３軸受け部８０ｃは、ダイ部３０より上方に向けて突設されている。
第１軸受け部８０ａ及び第２軸受け部８０ｂ及び第３軸受け部８０ｃは、同一の高さ位置において、枢軸部１８０を支持するように、その最も低い底部が同一の高さ位置において形成されている。
第１軸受け部８０ａ、第２軸受け部８０ｂ及び第３軸受け部８０ｃは、パンチ体１４の枢軸部１８０を上方から枢支するように、パンチ体１４の上方から枢軸部１８０を覆う庇状である。
【００５３】
パンチ体取付け部８０は、前記第１軸受け部８０ａと第３軸受け部８０ｃとの間及び第２軸受け部８０ｂと第３軸受け部８０ｃとの間において、第４軸受け部８０ｄ及び第５軸受け部８０ｅが形成されている。
第４軸受け部８０ｄの軸受溝８８ａ及び第５軸受け部８０ｅの軸受溝８８ｂは、パンチ体１４の枢軸部１８０を下方から枢支するように、下方からパンチ体１４の枢軸部１８０を支持する溝状である。
【００５４】
（パンチ体の位置決め部）
パンチ体１４のパンチ刃１６０は、円柱状又は角柱状の柱であって、側壁部を備える。
案内係合凸部１００は、パンチ体１４の円柱状又は角柱状の柱の側壁部に対応している。
案内係合凹部２００は、案内係合凸部１００の円柱状又は角柱状の柱の側壁部（パンチ体取付け部８０側の側壁面１０２及び被穿孔材載置面２８側の側壁面１０４）に対応する係合面２０２と、該係合面２０２に続いて傾斜面２０４とを有している。側壁面２０８ａ及び側壁面２０８ｂは、係合面２０２を構成している。
案内係合凹部２００は、横断面円形又は方形の側壁面（枢軸部１８０側の側壁面２０８ａ及びパンチ刃１６０の側壁面２０８ｂ）を備える。
前記横断面円形又は方形の側壁面（枢軸部１８０側の側壁面２０８ａ及びパンチ刃１６０の側の側壁面２０８ｂ）は、パンチ体１４のパンチ設置面２４と直交する。
【００５５】
ベース体１２及びパンチ体１４は、枢支する軸の軸心の近傍において、ベース体１２のパンチ体１４との対向する面及びパンチ体１４のベース体１２との対向する面に、ベース体１２の穿孔孔とパンチ体１４のパンチ刃１６０との相対的位置を決めるための案内係合凸部１００及び案内係合凹部２００が形成されている。
パンチ本体１７０は、その下面、すなわちベース体１２に対向する面に、パンチ刃１６０を穿孔穴３２に精確に嵌入するための位置決めガイド部たる案内係合凹部２００が凹設されている。
案内係合凹部２００は、パンチ刃１６０をベース体１２の穿孔穴３２に嵌入されるとき、ベース体１２の案内係合凸部１００に嵌合して、パンチ体１４のパンチ刃１６０とベース体１２の穿孔穴３２との位置を精確に決定して、パンチ刃１６０を穿孔穴３２に嵌入するように形成されている。
【００５６】
パンチ体１４は、パンチ体１４のパンチ本体１７０により被穿孔材Ｐを穿孔したとき、下面すなわちベース体１２のダイ部３０と対向する面に形成されたパンチ刃１６０及び案内係合凸部２００が、ベース体１２のパンチ設置面２４及び被穿孔材載置面２８と直交するように形成されている。
案内係合凹部２００は、パンチ体１４のパンチ刃１６０により被穿孔材Ｐを穿孔したとき、係合面２０２が案内係合凸部１００の柱面と嵌合するように、係合面２０２がベース体１２のパンチ設置面２４及び被穿孔材載置面２８と直交する。
【００５７】
パンチ体１４のパンチ刃１６０は、円柱状の柱面（側壁部）の先端に刃先を備えている。
案内係合凸部１００は、その頂部の近傍が断面半円弧状の膨出体である。
案内係合凸部１００は、パンチ体１４のパンチ刃１６０の円柱状の柱面（側壁部）に対応して、断面円形の柱面（側壁面）を備える。案内係合凸部１００の断面円形の柱面（側壁面）は、パンチ体１４のパンチ刃１６０の円柱状の柱面（側壁部）と略々平行である。
【００５８】
案内係合凹部２００は、断面半円弧状の係合面２０２を有し、且つ該係合面２０２に続いて、枢軸部１８０とは反対側に形成された傾斜面２０４を有している。
案内係合凹部２００の係合面２０２は、案内係合凸部１００の半円弧状の係合面２０２を係合する。
案内係合凹部２００の傾斜面２０４は、案内係合凹部２００の開口部２０６の周辺のパンチ体本体１７０下面より枢軸部１８０の側に向かうに従って徐々にその高さが高くなる仰角の面である。
開口部２０６周辺のパンチ体本体１７０の下面と傾斜面２０４との挟角は、略々１３０度ないし１４０度である。
パンチ体１４を枢軸部１８０を枢軸として回動して穿孔するとき、案内係合凸部１００が傾斜面２０４を通過して、係合面２０２内に収まる。
【００５９】
（被穿孔材の位置決め部）
ダイ部３０は、穿孔穴３２より適宜な間隔をおいて、被穿孔材Ｐを当接させて位置決めするための当接部９０を突設されている。
当接部９０は、前後方向に分かれて形成された２個の穿孔穴３２の中間であって、被穿孔材Ｐの差込方向に、穿孔穴３２より離れて形成されている。
【００６０】
ベース体１２のベース本体２０は、その左端縁の近傍すなわち枢軸部１８０寄りに、被穿孔材Ｐに穿孔するために被穿孔材載置面２８に差し込まれた被穿孔材Ｐを上から抑えるための被穿孔材押え部９２がダイ部３０に向けて突設されている。
被穿孔材押え部９２は、ベース体１２のベース本体２０の左端において上方に向けて突設された凸条９４から突き出されている。
被穿孔材押え部９２は、前後に分かれた穿孔穴３２の内側において、前後に分かれた第１押え部９２ａと第２押え部９２ｂとを有している。
被穿孔材押え部９２は、被穿孔材Ｐを穿孔した後、パンチ体１４を上方に向けて回動したときの被穿孔材Ｐの浮き上がりを防止する。
【００６１】
ベース体１２は、ポリアセタール樹脂（ＰＯＭ）等の機械的強度に優れた合成樹脂で一体形成されている。
パンチ体１４は、ポリアセタール樹脂（ＰＯＭ）等の機械的強度に優れた合成樹脂で一体形成されている。
【００６２】
（カバー体）
カバー体３００は、図４に示すように、綴じ具Ｂを備えたファイル・バインダーの表紙であって、表表紙３０２と、裏表紙３０４と、表表紙３０２及び裏表紙３０４にヒンジ部３０８を介して連設された背表紙３０６とを有する。
【００６３】
パンチ１０は、カバー体３００の表表紙３０２に付設されている。
パンチ１０を付設される表表紙３０２は、図４に示すように、ヒンジ部３０８とは反対側の自由端３１０に、パンチ１０のベース体１２の立ち上がり部２６を嵌合するための取付け凹部３１２が切り欠き形成されている。
取付け凹部３１２は、ベース体１２の立ち上がり部２６を嵌挿するに適するように、立ち上がり部２６の外周縁の形状に対応して略々相似形に形成されている。
【００６４】
カバー体３００は、取付け凹部３１２の周縁に、パンチ１０のベース体１２を取付けるためのカバーの取付け部３１４が形成されている。カバーの取付け部３１４は、パンチ１０の取付け体１６が取り付けられている。
カバーの取付け部３１４は、取付け体１６の第１取付け部４０を取付ける領域を構成するカバーの第１取付け部３２０と、取付け体１６の第２取付け部５０を取付ける領域を構成するカバーの第２取付け部３３０と、取付け体１６の第３取付け部６０を取付ける領域を構成するカバーの第３取付け部３４０とを備える。
【００６５】
カバーの第１取付け部３２０は、第１取付け部４０の第１立ち上がり部４４に当接する第１接合縁３２６ａと第１突出部４２の下面に接合する第１嵌挿面３２８ａとを有する。
カバーの第１取付け部３２０は、第１取付け部４０の第２立ち上がり部４８に当接する第２接合縁３２６ｂと第２突出部４６の下面に接合する第２嵌挿面３２８ｂとを有する。
【００６６】
カバーの第２取付け部３３０は、第２取付け部５０の第２立ち上がり部５４に当接する第１接合縁３３６ａと第１突出部５２の下面に接合する第１嵌挿面３３８ａとを有する。
カバーの第２取付け部３３０は、第２取付け部５０の第２立ち上がり部５８に当接する第２接合縁３３６ｂと第２突出部５６の下面に接合する第２嵌挿面３３８ｂとを有する。
【００６７】
カバーの第３取付け部３４０は、第３取付け部６０の第２立ち上がり部６４の当接する第１接合縁３４６ａと第１突出部６２の下面に接合する第１嵌挿面３４８ａを有する。
カバーの第３取付け部３４０は、第３取付け部６０の第２立ち上がり部６８に当接する第２接合縁３４６ｂと第２突出部６６の下面に接合する第２嵌挿面３４８ｂとを有する。
【００６８】
カバーの第２取付け部３３０は、取付け凹部３１２の右側縁において、向こう側と手前側とに分かれて、ベース体１２の第２取付け部５０を取付けるための第１取付け貫通孔３３２及び第２取付け貫通孔３３４が穿設されている。
カバーの第２取付け部３３０の第１取付け貫通孔３３２は、第１嵌挿面３３８ａに形成され、第２取付け貫通孔３３４は、第２嵌挿面３３８ｂに形成されている。
カバーの第３取付け部３４０は、取付け凹部３１２の向こう側と手前側とに、ベース体１２の第３取付け部６０を取付けるための第１取付け貫通孔３４２及び第２取付け貫通孔３４４が穿設されている。
カバーの第３取付け部３４０の第１取付け貫通孔３４２は、第１嵌挿面３４８ａに形成され、第２取付け貫通孔３４４は、第２嵌挿面３４８ｂに形成されている。
【００６９】
ベース体１２は、カバー体３００の外側面である表表紙３０２の表紙に接し合わされ、ダイ部３０が、カバー体３００の取付け凹部３１２に嵌め合わされている。
【００７０】
カバー体３００に取り付けられた、ベース体１２とパンチ体１４とからなるパンチユニットの高さは、低く、パンチ体１４の高さは、一対のヒンジ部３０８の間に形成された背表紙３０６の幅よりも低い。
【００７１】
この発明にかかるパンチ付きファイルは、カバー体３００に取り付けられたパンチ１０が、カバー体３００の一方の主面に配設されるベース体１２と、
前記ベース体１２及び／又は取付け体に配設されたパンチ体１４とを備え、
前記取付け体がベース体１２に連結されて、取付け体とベース体１２との間にカバー体３００が挟持され、
前記パンチ体１４は、被穿孔材Ｐを穿孔するパンチ刃１６０をベース体１２に向けて突設され、
ベース体１２は、前記パンチ体１４のパンチ刃１６０を挿入する穿孔穴３２が形成されたダイを設けられ、
穿孔穴３２は、穿孔方向の先であって穿孔穴３２の少なくとも一部を覆うかす受け体３５０が配設されている。
ダイ部３０は、穿孔方向の先であって穿孔穴３２の少なくとも一部を覆うかす受け体３５０が配設されている。
【００７２】
カバー体３００は、ポリプロピレン等の合成樹脂シートからなる。
【００７３】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
例えば、狭義のファイルではなく、バインダ等の表紙挟みも全てファイルに含まれる。
前記実施の形態においては、多穴型パンチについて説明したが、図３６ないし５２に示すように、１穴型パンチであってもよい。
【００７４】
次に、一穴型パンチについて説明する。
【００７５】
本発明にかかるパンチ１０１０は、ファイルの表紙等のカバー体１３００に取り付けられるパンチ１０１０であって、カバー体１３００の一方の主面に配設されるベース体１０１２と、前記ベース体１０１２に配設されたパンチ体１０１４と、ベース体１０１２をカバー体１３００に取付けるための取付け体１０１６とを備える。
【００７６】
前記パンチ体１０１４は、ベース体１０１２の用箋等の被穿孔材Ｐに向けて接近するように形成され、且つ被穿孔材Ｐを穿孔するパンチ刃１１６０がベース体１０１２に向けて突設されている。
ベース体１０１２は、前記パンチ刃１１６０を挿入する穿孔穴１０３２が形成されたダイ部１０３０が設けられている。
穿孔穴１０３２は、穿孔方向の先であって穿孔穴１０３２の少なくとも一部を覆うかす受け体１３５０が配設されている。
ダイは、穿孔方向の先であって穿孔穴１０３２の少なくとも一部を覆うかす受け体１３５０が配設されている。
【００７７】
かす受け体１３５０は、カバー体１３００に形成されており、ベース体１０１２に取り付けられたカバー体１３００のかす受け体１３５０が、ダイ部１０３０の側方で穿孔穴１０３２の外から穿孔穴１０３２の穴内に進入し、穿孔穴１０３２の少なくとも一部を覆う。
【００７８】
かす受け体１３５０は、穿孔穴１０３２の出口の近傍において、穿孔穴１０３２の外から穿孔穴１０３２の穴内に、カバー体１３００に形成されたかす受け体１３５０の主面（表面）が穿孔穴１０３２の軸心と交差する方向であって穿孔穴１０３２の径方向に進入し、かす受け体１３５０の主面（表面）がパンチ刃１１６０の方向を向いて穿孔穴１０３２の少なくとも一部を覆う。
【００７９】
かす受け体１３５０は、弾力性を有するシート状のカバー体１３００の一部であって、穿孔されて出たかすを穿孔穴１０３２の内部に滞留させ、且つ、撓めて滞留したかすを外に取出せるように形成されている。
【００８０】
かす受け体１３５０は、穿孔穴１０３２の半分の所にその先端が位置する。
それゆえに、かすＰｄの主面の半分位を保持する。
【００８１】
かす受け体１３５０はその先端に指又は指の爪を引っ掛けて、穿孔方向に向けて撓ませると、穿孔穴１０３２の出口の殆ど全部が開口して、かすＰｄが落ちる。
ベース体１０１２は、ベース体１０１２がカバー体１３００の他方の主面に配設された領域及び／又はその近傍において、取付け体１０１６が取付けられている。
前記取付け体１０１６は、ベース体１０１２の側の領域においてカバー体１３００を保持する。
前記パンチ体１０１４は、ベース体１０１２に載置された被穿孔材Ｐに向けて接近するように形成され、且つ被穿孔材Ｐを穿孔するパンチ刃１１７０がベース体１０１２に向けて突設されている。
ベース体１０１２は、前記パンチ体１０１４のパンチ刃１１７０を挿入するダイ部１０３０が設けられている。
【００８２】
（ベース体）
ベース体１０１２は、配設されたカバー体１３００に接合する平面を有するカバー体接合面１０２２と、机上等の載置面に接合するパンチ設置面１０２４とを有するベース本体１０２０と、ベース本体１０２０の厚さ方向に穿設されたパンチ刃１１７０を挿入する穿孔穴１０３２を有するダイ部１０３０と、カバー体１３００を取り付けるための取付け体取付け部１１１６と、パンチ体１０１４を回動自在に取り付けるための枢支軸を構成するパンチ体取付け部１０８０とを備える。
【００８３】
ベース本体１０２０は、その中央に立ち上がり部１０２６を形成された平面視方形の平板状体である。
立ち上がり部１０２６は、カバー体接合面１０２２より高い平面視略方形の丘状であり、その上面に被穿孔材Ｐを載置するための、平面状の被穿孔材載置面１０２８が形成されている。
ベース本体１０２０は、その下面にパンチ１０１０を机上等に載置するに適する平面を有するパンチ設置面１０２４が形成されている。
被穿孔材載置面１０２８は、平面状であり、且つ、パンチ設置面１０２４は、平面状であり、被穿孔材載置面１０２８とパンチ設置面１０２４とは平行な面である。
ダイ部１０３０は、ベース体１０１２の略々中央に配設されている。
ベース本体１０２０は、立ち上がり部１０２６及びダイ部１０３０も含め薄い、全体が薄い平面状である。
【００８４】
ベース本体１０２０は、ダイ部１０３０の周囲に周設された直線状の上部の第１取付け部１１４０と、直線状の下部の第３取付け部１１６０と、上部の第１取り付け部１１４０と下部の第３取り付け部１１６０との間に架け渡された架設部たる第２取付け部１１５０とを有している。第１取付け部１１４０と第２取付け部１１５０と第３取付け部１１６０の上面に、ベース本体１０２０カバー体接合面１０２２が形成されている。
【００８５】
カバー体接合面１０２２は、平面視略U字形の平面状であり、取付け体１６の取付け体本体１２１０の平面視形状と略々同じ形状である。
カバー体接合面１０２２は、その上面がカバー体１３００の一方端（外側面）と接合する接合面を構成する。
カバー体接合面１０２２は、その上面にカバー体取付け凸部１０３８が形成されている。
【００８６】
カバー取付け凸部１０３８は、ベース本体１０２０接合面１０２２を形成された第１取付け部１１４０と、接合面１０２２を形成された第３取付け部１１６０とに分かれて形成されている。
カバー取付け凸部１０３８は、被穿孔材Ｐの差し込み方向に向うに従って徐々にその高さが高くなる断面三角形状の（第１取付け部１１４０の）第１係合部１１４２及び第２係合部１１４４並びに（第３取り付け部１１６０の）第１係合部１１６２及び第２係合部１１６４により構成されている。
第１係合部１１４２及び第２係合部１１４４は、左右一対で第１取付け部１１４０に形成されている。第１係合部１１６２及び第２係合部１１６４は、左右一対で、第３取付け部１１６０に形成されている。
第１取り付け部１１４０の第１係合部１１４２及び第２係合部１１４４は、取付け体取付け部１１１６の第１取付け部１０４０を嵌合させて、取付け体本体１２１０をベース本体１０２０に係合して、取付け体１６をベース体１２に固定する。
第３取付け部１１６０の第１係合部１１６２及び第２係合部１１６４は、取付け体取付け部１１１６の第３取り付け部１０６０を嵌合させて、取付け体本体１２１０をベース本体１０２０に係合して、取付け体１６をベース体１２に固定する。
【００８７】
第２取付け部１１５０は、被穿孔材Ｐの差し込み方向における手前側部（右側部）に形成された第１突出部１１５２及び第１立ち上がり部１１５４と、被穿孔材Ｐの差し込み方向における最奥部（左側面）に形成された第１連結部１１５６及び第２連結部１１５８とにより構成されている。
【００８８】
前記突出部１０３６（第１突出部１１５２）は、立ち上がり部１０２６の周辺のカバー体接合面１０２２に向けて、庇状に張り出され、突出部１０３６とカバー体接合面１０２２との間に挿入されたカバー体１３００を取付けるように形成されている。
前記突出部１０３６は、庇状である。
第１連結部１１５６は、第１取付け部１１４０の側に形成された、断面Ｕ字形の穴状であり、第２連結部１１５８は、第３取付け部１１６０の側に形成された断面Ｕ字形の穴状である。
第１突出部１１５２は、被穿孔材Ｐの差込方向とは反対方向に向けて立ち上がり部１０２６の端縁より突き出た庇状であり、その下部に断面Ｕ字形の穴が形成されている。
突出部１０３６は、立ち上がり部１０２６の平面状の上面に続く平面状の上面を有し、突出部１０３６の上面と立ち上がり部１０２６の上面とは、全体が平面となる。
立ち上がり部１０２６の上面と突出部１０３６とによって形成された被穿孔材載置面１０２８は、平面状である。
【００８９】
被穿孔材載置面１０２８は、平面状であり、且つ、パンチ設置面１０２４は、平面状であり、被穿孔材載置面１０２８とパンチ設置面１０２４とは平行な面である。
被穿孔材載置面１０２８は、前記立ち上がり部１０２６の上面に形成された、被穿孔物Ｐを載置するための第１載置面１０２８ａと、前記立ち上がり部１０２６から前記カバー体接合面１０２２及び／又は第１載置面１０２８ａに沿って張り出された突出部１０３６（第１突出部１１５２）の上面に形成された、被穿孔物Ｐを載置するための第２載置面１０２８ｂとを備える。
前記第１載置面１０２８ａ及び第２載置面１０２８ｂは、前記カバー体接合面１０２２より立ち上がり部１０２６の高さに対応してカバー体接合面１０２２より高い位置にある平面である。
【００９０】
第１取付け部１１４０の第１係合部１１４２及び第２係合部１１４４と第３取付け部１１６０の第１係合部１１６２及び第２係合部１１６４とは、カバー体１３００の高さ方向にのびる突起である。
【００９１】
ダイ部１０３０は、カバー体接合面１０２２より高い平面視略方形の丘状の立ち上がり部１０２６に形成されている。
第１取付け部１１４０の第１係合部１１４２は、カバー体１３００のカバーの第１取付け部１３２０の第１取付け貫通孔１３２２が嵌合され、第１取付け部１１４０の第２係合部１１４４は、カバー体１３００のカバーの第１取付け部１３２０の第２取付け貫通孔１３２４が嵌合される。
第３取付け部１１６０の第１係合部１１６２は、カバー体１３００のカバーの第３取付け部１３４０の第１取付け貫通孔１３４２が嵌合され、第３取付け部１１６０の第２係合部１１６４は、カバー体１３００のカバーの第３取付け部１３４０の第２取付け貫通孔１３４４が嵌合される。
ダイ部１０３０は、頂面が平面であり、且つ、底面が平面である。
ダイ部１０３０は、その中央に、パンチ体１０１４のパンチ刃１１７０を挿入するための穿孔穴１０３２が、一個穿設されている。穿孔穴１０３２は、ダイ部１０３０の上面から垂下する壁面を有している。穿孔穴１０３２は、パンチ設置面１０２４及び被穿孔材載置面１０２８と直交する壁面を有する。
穿孔穴１０３２は、ダイ部１０３０の上面から垂下する壁面を有している。穿孔穴１０３２は、パンチ設置面１０２４及び被穿孔材載置面１０２８と直交する壁面を有する。
ベース体１０１２は、ポリアセタール樹脂（ＰＯＭ）等の機械的強度に優れた合成樹脂で一体成形されている。
【００９２】
（かす受け体）
カバー体１３００のかす受け体１３５０を挿入する進入孔１１３０は、ベース体１０１２の取付け体１０１６を構成する第１取付け部１０４０及び／又は第２取付け部１０５０及び／又は第３取付け部１０６０の突出部１０３６の根本の下方において、突出部１０３６の突き出し方向とは反対側に向けて形成されている。
この発明の実施の形態においては、第２取付け部１０５０の突出部１０３６の根本の下方において、突出部１０３６の突き出し方向とは反対側に向けて形成されている。
【００９３】
カバー体１３００のかす受け体１３５０を挿入する進入孔１１３０は、ベース体１０１２のカバー体接合面１０２２から下方に向けて傾斜した孔壁（上側の孔壁１１３２及び下側の孔壁１１３４）を有し、カバー体１３００のかす受け体１３５０は、該孔壁にそって湾曲させられ、ダイ部１０３０の穿孔穴１０３２の出口の近傍に突き出されている。
（上側の）孔壁１１３２は、第２取付け部１０５０の突出部１０３６の下方に形成されている。
（下側の）孔壁１１３４は、ベース体１０１２のカバー体接合面１０２２に連続して進入孔１１３０側の端縁に形成されている。
【００９４】
かす受け体１３５０は、カバー体１３００のベース体１０１２に取付けられる取付け凹部１３１２に形成され、
ベース体１０１２に取り付けられたカバー体１３００のかす受け体１３５０が、穿孔穴１０３２の近傍に設けられた進入孔１１３０に挿入されて穿孔穴３２の外から穿孔穴１０３２の穴内に進入し、穿孔穴１０３２の少なくとも一部を覆う。
【００９５】
かす受け体１３５０は、穿孔穴１０３２の出口の近傍において、穿孔穴１０３２の近傍に設けられた進入孔１１３０に挿入されて穿孔穴１０３２の外から穿孔穴１０３２の穴内に、かす受け体１３５０の主面が穿孔穴１０３２の軸心と交差する方向であって穿孔穴１０３２の径方向に進入し、かす受け体１３５０の主面が穿孔穴１０３２の少なくとも一部を覆う。
【００９６】
かす受け体１３５０は、カバー体１３００の取付け体１０１６に取り付けられる領域に隣接した領域より高く突き出し設けられた平面視U字型ないしは円弧状の舌状片であって、カバー体１３００が取付け体１０１６に向けて挿入される方向に向けて突設されている。
【００９７】
（パンチ体の位置決め部）
ベース体１０１２のパンチ体取付け部１０８０は、第１軸受け部１０８０ａ及び第２軸受け部１０８０ｂがベース体１０１２の長手方向（手前側から向こう側に向かう方向）に一直線状にのびる。
ベース体１０１２のパンチ体取付け部１０８０は、第１軸受け部１０８０ａ及び第２軸受け部１０８０ｂを構成する円弧の中心点（想像上の）を通る軸心Ａｘ１を備える。
パンチ体１０１４の枢軸部１１８０は、第１軸部１１８２及び第２軸部１１８４を含み、軸がパンチ体１０１４の長手方向（手前側から向こう側に向かう方向）に一直線状にのびる。
パンチ体１０１４の枢軸部１１８０は、第１軸部１１８２及び第２軸部１１８４の中心点（想像上の）を通る軸心Ａｘ１を備える。
【００９８】
ベース体１０１２の第１凹条１０８２及び第２凹条１０８４は、パンチ体１０１４の枢軸部１１８０の軸受け部であり、パンチ体１０１４をベース体１０１２に枢支するための枢支部を構成している。
パンチ体１０１４は、第１軸部１１８２がベース体１０１２の第１凹条１０８２に挿入されて枢支される。
パンチ体１０１４は、第２軸部１１８４がベース体１０１２の第２凹条１０８４に挿入されて枢支される。
【００９９】
パンチ体１０１４のパンチ刃１１７０は、円柱状（又は多角柱状）の柱であって、その中心点（想像上の）を通る軸心Ａｘ２を備える。
ベース体１０１２の穿孔穴１０３２は、横断面円形（又は横断面多角形）の穴であって、穴の中心点（想像上の）を通る軸心Ａｘ５を備える。
案内係合凹部１２００は、パンチ刃１１７０の円柱状（又は多角柱状）の柱の軸心Ａｘ４に対応して、その中心点（想像上の）を通る軸心Ａｘ４を備える。
案内係合凸部１１００は、ベース体１０１２の穿孔穴１０３２の軸心Ａｘ５に対応して、その中心点（想像上の）を通る軸心Ａｘ３を備える。
案内係合凸部１１００の軸心Ａｘ３とベース体１０１２にパンチ体１０１４を枢支する枢支部の軸心Ａｘ１との間の長さＬ１は、案内係合凹部１２００の軸心Ａｘ４とベース体１０１２にパンチ体１０１４を枢支する枢軸部１１８０の軸心Ａｘ１との間の長さＬ２と同一であり、且つパンチ刃１１７０の軸心Ａｘ２とベース体１０１２にパンチ体１０１４を枢支する枢軸部１１８０の軸心Ａｘ１との間の長さＬ３は、穿孔穴１０３２の軸心Ａｘ５とベース体１０１２にパンチ体１０１４を枢支する枢支部の軸心Ａｘ１との間の長さＬ４と同一である。
【０１００】
案内係合凸部１１００は、パンチ刃１１７０の円柱状又は多角柱状の柱の軸心Ａｘ２及びベース体１０１２の穿孔穴１０３２の軸心Ａｘ５に対応して、軸心Ａｘ３を備える。
案内係合凹部１２００は、ベース体１０１２の穿孔穴１０３２の軸心Ａｘ５及びパンチ刃１１７０の円柱状又は多角柱状の柱の軸心Ａｘ２に対応して、軸心Ａｘ４を備える。
案内係合凹部１２００の軸心Ａｘ３とパンチ刃１１７０の軸心Ａｘ２との間の長さＬ５は、係合凸部１２００の軸心Ａｘ４とベース体１０１２の穿孔穴１０３２の軸心Ａｘ５との間の長さＬ６と略々同一である。
【０１０１】
ベース体１０１２にパンチ体１０１４を枢支する枢支部を構成する凹条（第１凹条１０８２及び第２凹条１０８４及び第３凹条１０８６）におけるパンチ刃１１７０又は穿孔穴１０３２の側の壁面と案内係合凸部１１００（又は案内係合凹部１２００）の軸心Ａｘ３との間の長さＬ７は、ベース体１０１２にパンチ体１０１４を枢支する枢軸部１１８０におけるパンチ刃１１７０又は穿孔穴１０３２の側の表面と案内係合凹部１２００（又は案内係合凸部１１００）の軸心Ａｘ４との間の長さＬ８と同一であり、且つ、パンチ刃１１７０の軸心Ａｘ２とベース体１０１２にパンチ体１０１４を枢支する枢支部を構成する凹条（第１凹条１０８２及び第２凹条１０８４）におけるパンチ刃１１７０又は穿孔穴１０３２の側の壁面との間の長さＬ９は、穿孔穴１０３２の軸心とベース体１０１２にパンチ体１０１４を枢支する枢軸部１１８０におけるパンチ刃１１７０又は穿孔穴１０３２の側の表面との間の長さＬ１０と同一である。
【０１０２】
ベース体１０１２にパンチ体１０１４を枢支する枢支部を構成する凹条（第１凹条１０８２及び第２凹条１０８４）におけるパンチ刃１１７０又は穿孔穴１０３２の側の壁面と案内係合凸部１１００（又は案内係合凹部１２００）の軸心Ａｘ３との間の長さＬ７は、ベース体１０１２にパンチ体１０１４を枢支する枢軸部１１８０におけるパンチ刃１１７０又は穿孔穴１０３２の側の表面と案内係合凹部１２００（又は案内係合凸部１１００）の軸心Ａｘ４との間の長さＬ８と同一であり、且つ、パンチ刃１１７０の軸心Ａｘ２と案内係合凹部１２００（又は案内係合凸部１１００）の軸心Ａｘ４との間の長さＬ５は、穿孔穴の軸心と案内係合凸部１１００（又は案内係合凹部１２００）の軸心Ａｘ３との間の長さＬ６と同一である。
【０１０３】
案内係合凸部１１００は、穿孔するときベース体にパンチ体１０１４を枢支する軸の軸心Ａｘ１とパンチ刃１１７０の軸心Ａｘ２とが略々同一の距離を保って、パンチ刃１１７０が穿孔穴１０３２に嵌入するように、パンチ体１０１４を枢支する軸の軸心Ａｘ１と略々同一の距離を保って案内係合凸部１１００の軸心Ａｘ３が回動するように形成されている（図５０〜５２参照）。
案内係合凹部１２００は、穿孔するときベース体にパンチ体１０１４を枢支する軸の軸心Ａｘ１とパンチ刃１１７０の軸心Ａｘ２とが略々同一の距離を保って、パンチ刃１１７０が穿孔穴１０３２に嵌入するように、パンチ体１０１４を枢支する軸の軸心Ａｘ１と略々同一の距離を保って案内係合凹部１２００の軸心Ａｘ４が回動するように形成されている（図５０〜５２参照）。
ベース体１０１２の穿孔穴１０３２は、横断面円形又は横断面多角形の穴であって、穴の中心点（想像上の）を通る軸心Ａｘ５を備える。
【０１０４】
この発明の実施の形態のパンチ１０１０は、ダイ部１０３０を有するベース体１０１２と、前記ベース体１０１２に枢支されたパンチ体１０１４とを有し、ベース体１０１２及びパンチ体１０１４は、枢支する軸（枢軸部１１８０）の軸心Ａｘ１の近傍において、ベース体１０１２の穿孔穴１０３２とパンチ体１０１４のパンチ刃１１７０との相対的位置を決めるための案内係合凸部１１００及び案内係合凹部１２００が形成されている。
【０１０５】
案内係合凸部１１００は、ベース体１０１２のパンチ体１０１４との対向する面（被穿孔材載置面１０２８の側の面）及びパンチ体１０１４のベース体１０１２との対向する面（パンチ体本体１１７２の下面）のうち、一方の面（被穿孔材載置面１０２８の側の面）に形成され、且つ、案内係合凹部１２００は、ベース体１０１２のパンチ体本体１１７２との対向する面及びパンチ体１０１４のベース体１０１２との対向する面のうち、他方の面（パンチ体本体１１７２の下面）に形成されている。
案内係合凸部１１００は、ベース体１０１２のパンチ体１０１４との対向する面及びパンチ体１０１４のベース体１０１２との対向する面のうち一方の面（ベース体１０１２の被穿孔材載置面１０２８の表面）に、パンチ刃１１７０が穿孔穴１０３２に嵌入するときに係合する位置において形成され、且つ、案内係合凹部１２００は、ベース体１０１２のパンチ体１０１４との対向する面及びパンチ体１０１４のベース体１０１２との対向する面のうち他方の面（パンチ体１０１４のパンチ本体１１７２の下面）に、パンチ刃１１７０が穿孔穴１０３２に嵌入するときに係合する位置において形成されている。
ベース体１０１２は、その上面すなわちパンチ体１０１４に対向する面に、パンチ刃１１７０を穿孔穴１０３２に精確に嵌入して穿設するための位置決めガイド部たる案内係合凸部１１００が突設されている。
案内係合凸部１１００は、パンチ刃１１７０が穿孔穴１０３２に嵌入する前に案内係合凹部１２００に到達する形状を有する。
【０１０６】
パンチ体１０１４のパンチ刃１１７０は、円柱状又は角柱状の柱であって、側壁部を備える。
案内係合凸部１１００は、パンチ体１０１４の円柱状又は角柱状の柱の側壁部に対応して、横断面円形又は方形の側壁面（パンチ体取付け部１０８０側の側壁面１１０２及び被穿孔材載置面１０２８側の側壁面１１０４）を備える。
パンチ刃１１７０の円柱状又は角柱状の柱の側壁部と案内係合凸部１１００の横断面円形又は方形の側壁面（パンチ体取付け部１０８０側の側壁面１１０２及び被穿孔材載置面１０２８側の側壁面１１０４）とは、パンチ刃１１７０が穿孔穴１０３２に嵌入したとき、平行である。
案内係合凸部１１００は、被穿孔材Ｐを穿孔するときに、パンチ本体１１７２の案内係合凹部１２００に係合して、パンチ体１０１４のパンチ刃１１７０とベース体１０１２の穿孔穴１０３２との位置を精確に決定して、パンチ刃１１７０を穿孔穴１０３２に嵌入して穿孔するように形成されている。
【０１０７】
案内係合凸部１１００は、ベース体１０１２のダイ部１０３０より上方、すなわち、パンチ体１０１４のパンチ刃１１７０側に向けて突設された、角柱状体の突起である。
案内係合凸部１１００は、左側（すなわちパンチ体１０１４の枢軸部１１８０側）の壁面と、右側（すなわち被穿孔材Ｐの差し込み方向とは反対側）の壁面とが、パンチ設置面１０２４及び被穿孔材載置面２８と直交する。
案内係合凸部１１００は、その頂部の近傍が断面半円弧状の膨出体であり、パンチ体１０１４の案内係合凹部１２００を嵌合し易く構成している。
【０１０８】
（取付け体）
取付け体１０１６は、カバー体１３００に接合する平面を有する取付け体本体１２１０と、パンチ体１０１４のパンチ刃１１７０が通過するパンチ刃挿通部１２１２と、パンチ刃挿通部１２１２の周辺に設けられた被穿孔材押え部１０９２と、ベース体１０１２に取付け体本体１２１０を取り付けるためのベース体取付け部１２１４とを備える。
【０１０９】
取付け体本体１２１０は、平面視略Ｕ字形の平板状体であり、直線状の上部の第１接合部１２３０と、直線状の下部の第３接合部１２３４と、上部の第１接合部１２３０と下部の第３接合部１２３４との間に架け渡された架設部たる第２接合部１２３２とを有す。
フィックス本体１０１６は、第１接合部１２３０、第２接合部１２３２及び第３接合部１２３４の下面が、カバー体１３００の他方面（内側面）と接合するカバー体接合面１２２２を構成する。
【０１１０】
パンチ刃通過部１２１２は、パンチ体１０１４の略々中央に配設されている。
【０１１１】
取付け体１０１６のベース体取付け部１２１４は、カバー体１３００にベース体１０１２を左右方向において確実に固定するために、前後方向に分かれて形成された、第１取付け部１０４０と、第１取付け部１０４０の間において、前後方向に分かれて形成された第２取付け部１０５０とを有する。
更に、取付け体１０１６のベース体取付け部１２１４は、カバー体１３００にベース体１０１２を前後方向において固定するために、前後方向において分かれた形成された、第３取付け部１０６０を有する。
【０１１２】
ベース体取付け部１２１４は、ベース体１０１２の取付け体取付け部１１１６と略々相似形であり、ベース体１０１２の取付け体取付け部１１１６の上に重ねられるようにされている。ベース体取付け部１２１４の外周縁はベース体１０１２の取付け体取付け部１１１６の外周縁と略々同じか内側に位置する。
ベース体取付け部１２１４は、ベース体１０１２の立ち上がり部１０２６と略々同じ高さであり、取付け体１０１６の取付け体取付け部１１１６に重ねられたときに、その上面が立ち上がり部１０２６の上面と略々揃い、平面状となる。
【０１１３】
取付け体１０１６を構成する、第１取付け部１０４０、第２取付け部１０５０及び第３取付け部１０６０は、ベース体１０１２のカバー体１３００を接合する面側から突設された立ち上がり部１０２６及び／又は立ち上がり面と、該立ち上がり部１０２６及び／又は立ち上がり面から、ベース体１０１２のカバー体１３００を接合する面（カバー体接合面１０２２）側に沿って張り出された突出部１０３６とを備える。
前記突出部１０３６は、前記立ち上がり部１０２６に向けて挿入されたカバー体１３００を取り付けるように形成されている。
【０１１４】
取付け体本体１２１０は、第１取付け部１０４０と第２取付け部１０５０と第３取付け部１０６０とによって囲まれた空間に、パンチ刃挿通部１２１２が形成されている。
取付け体本体１２１０は、第１取付け部１０４０と第２取付け部１０５０と第３取付け部１０６０によって囲まれた空間の上方に、被穿孔材押え部１０９２が形成させている。
【０１１５】
被穿孔材押え部１０９２は、第１取付け部１０４０と第２取付け部１０５０と第３取付け部１０６０によって囲まれた空間に向けて第１隆起部１２４０より突き出された、第１押え部１０９２ａと、第１取付け部１０４０と第２取付け部１０５０と第３取付け部１０６０とによって囲まれた空間に向けて第２隆起部１２４２より突き出された第２押え部１０９２ｂとを備える。
第１押え部１０９２ａと第２押え部１０９２ｂとは、平行に、被穿孔材Ｐの差し込み方向に沿ってのびている。
第１押え部１０９２ａと第２押え部１０９２ｂとは、取付け体本体１２１０の第１取付け部１０４０及び第３取付け部１０６０と平行に、被穿孔材Ｐの差し込み方向に沿ってのびている。
第１押え部１０９２ａと第２押え部１０９２ｂとは、ベース体１０１２の上面の被穿孔材Ｐの載置面（第１載置面１０２８ａと第２載置面１０２８ｂ）より、高い位置に設けられている。
第１押え部１０９２ａと第２押え部１０９２ｂの下面とベース体１０１２の第１載置面１０２８ａ及びベース体１０１２の第２載置面１０２８ｂの上面との間に、被穿孔材Ｐを差し込む空間が形成されている。
【０１１６】
第１押え部１０９２ａは、第１接合部１２３０の上部に突き出された第１隆起部１２４０に連設されている。
第２押え部１０９２ｂは、第３接合部１２３４の上部に突き出された第２隆起部１２４２に連設されている。
第１隆起部１２４０及び第２隆起部１２４２は、被穿孔材Ｐの差し込み方向とは反対側の面が、被穿孔材Ｐを当接させて位置決めするための当接部１０９０を形成している。
【０１１７】
ベース体取付け部１２１４は、第１接合部１２３０を形成された第１取付け部１０４０と、第３接合部１２３４を形成された第３取付け部１０６０とに、前後方向において分かれて形成されている。
【０１１８】
第１取付け部１０４０は、ベース体１０１２の第１取付け部１１４０の第１係合部１１４２に嵌合させる貫通孔からなる第１係合部１０４２及び第２係合部１０４４により構成されている。
取付け体１０１６の第１取付け部１０４０の第１係合部１０４２及び第２係合部１０４４は、ベース体１０１２の第１取付け部１１４０の第１係合部１１４２及び第２係合部１１４４に嵌入し、取付け体１０１６のベース体取付け部１２１４をベース体１０１２の取付け体取付け部１１１６に係合して、取付け体１０１６をベース体１０１２に固定する
【０１１９】
第３取付け部１０６０は、ベース体１０１２の第３取付け部１１６０の第１係合部１１６２に嵌合させる貫通孔からなる第１係合部１０６２及び第２係合部１０６４により構成されている。
取付け体１０１６の第３取付け部１０６０の第１係合部１０６２及び第２係合部１０６４は、ベース体１０１２の第３取付け部１１６０の第１係合部１１６２及び第２係合部１１６４に嵌入し、取付け体１０１６のベース体取付け部１２１４をベース体１０１２の取付け体取付け部１１１６に係合して、取付け体１０１６をベース体１０１２に固定する。
【０１２０】
第２取り付け部１０５０は、被穿孔材Ｐの差し込み方向における最奥部（左側部）に形成された係止部を構成する。第１連結部１０５６及び第２連結部１０５８と、被穿孔材Ｐの差し込み方向における手前側部（右側部）に形成された係止部を構成する係止凹部１０５２とにより構成されている。
【０１２１】
第１連結部１０５６は、第１接合部１２３０の側に形成された断面方形の凸部で、第２連結部１０５８は、第３接合部１２３４の側に形成された断面方形の凸部である。
係止凹部１０５２は、第３接合部１２３４の左端縁すなわち被穿孔材Ｐの差し込み方向側の端縁に形成された凹みである。
【０１２２】
第１取付け部１０４０の第１係合部１０４２及び第２係合部１０４４と第３取付け部１０６０の第１係合部１０６２及び第２係合部１０６４とは、並列方向が平行である。
第１取付け部１０４０の第１係合部１０４２及び第２係合部１０４４並びに第３取付け部１０６０の第１係合部１０６２及び第２係合部１０６４と第２取付け部１０５０の係止凹部１０５２とは、そののびる方向が直交している。
【０１２３】
パンチ体１０１４は、ポリアセタール樹脂（ＰＯＭ）等の機械的強度に優れた合成樹脂で一体成型されている。
【０１２４】
（パンチ体の位置決め部）
【０１２５】
この発明の実施の形態のパンチ１０１０は、ダイ部１０３０を有するベース体１０１２と、前記ベース体１０１２に枢支されたパンチ体１０１４とを有し、ベース体１０１２及びパンチ体１０１４は、枢支する軸（枢軸部１１８０）の軸心の近傍において、ベース体１０１２の穿孔穴１０３２とパンチ体１０１４のパンチ刃１１７０との相対的位置を決めるための案内係合凸部１１００及び案内係合凹部１２００が形成される。
【０１２６】
案内係合凸部１１００は、ベース体１０１２のパンチ体１０１４との対向する面（被穿孔材載置面１０２８の側の面）及びパンチ体１０１４のベース体１０１２との対向する面（パンチ体本体１１７２の下面）のうち、一方の面（被穿孔材載置面１０２８の側の面）に形成され、且つ、案内係合凹部１２００は、ベース体１０１２のパンチ体１０１４との対向する面及びパンチ体１０１４のベース体１０１２との対向する面のうち、他方の面（パンチ体本体１１７２の下面）に形成されている。
ベース体１０１２は、その上面すなわちパンチ体１０１４に対向する面（ダイ部１０３０の上面）に、パンチ刃１１７０を穿孔穴１０３２に精確に嵌入して穿設するための位置決めガイド部たる案内係合凸部１１００が突設されている。
【０１２７】
パンチ体１０１４のパンチ刃１１７０は、円柱状又は角柱状の柱であって、側壁部を備える。
案内係合凸部１１００は、パンチ体１０１４の円柱状又は角柱状の柱の側壁部に対応して、横断面円形又は方形の側壁面（パンチ体取付け部１０８０側の側壁面２０８ａ及び被穿孔材載置面１０２８側の側壁面２０８ｂ）を備える。
パンチ刃１１７０の円柱状又は角柱状の柱の側壁部と案内係合凸部１１００の横断面円形又は方形の側壁面（パンチ体取付け部１０８０側の側壁面２０８ａ及び被穿孔材載置面１０２８側の側壁面２０８ｂ）とは、パンチ刃１１７０が穿孔穴１０３２に嵌入したとき、平行である。
【０１２８】
案内係合凸部１１００は、被穿孔材Ｐを穿孔するときに、パンチ刃１１７０の案内係合凹部１２００に係合して、パンチ体１０１４のパンチ刃１１７０とベース体１０１２の穿孔穴１０３２との位置を精確に決定して、パンチ刃１１７０を穿孔穴１０３２に嵌入して穿孔するように形成されている。
【０１２９】
前記突出部１０３６（第１突出部１１５２）は、前記立ち上がり部１０２６に向けて挿入されたカバー体１３００を取り付けるように形成されている。
前記ベース体１０１２は、カバー体１３００を配設するためのカバー体接合面１０２２と、ベース体１０１２のカバー体１３００を配設する面（カバー体接合面１０２２）から突設された立ち上がり部１０２６とを備える。
立ち上がり部１０２６には、被穿孔材Ｐを穿孔するために被穿孔材Ｐを載置する被穿孔材載置面１０２８が形成されている。
【０１３０】
（パンチ体）
パンチ体１０１４は、パンチ刃１１７０と、パンチ刃１１７０をベース体１０１２に取り付けるためのパンチ本体１１７２と、パンチ本体１１７２をベース体１０１２に回動自在に取り付けるための枢軸部１１８０とを備える。
【０１３１】
パンチ本体１１７２は、長さ方向を有する平面視略Ｔ字型の平板状である。
パンチ本体１１７２は、その上面の略々全体が平板状であり、その下面の略々全体が平板状である。パンチ本体１１７２は、その上面の略々全体とその下面の略々全体とが平行な溝板状態である。
パンチ本体１１７２は、その略々中央に、１個のパンチ刃１１７０が下向きに突設されている。
枢軸部１１８０は、パンチ刃１１７０より左側すなわち被穿孔材Ｐの差込方向側に、パンチ本体１１７２をベース体１０１２に枢支するための枢支部を構成する。
【０１３２】
パンチ刃１１７０は、円柱状ないしは角柱状であり、その先端に先鋭な刃を形成されている。パンチ刃１１７０の円柱状の柱面（側壁部）は、パンチ本体１１７２の下面すなわちベース体１０１２のダイ部１０３０に向き合う面から垂直に垂れ下がる。
パンチ刃１１７０は、ベース体１０１２の穿孔穴１０３２の孔の形状よりわずかに小さい底面視円形ないしは方形の刃先を備える。
【０１３３】
パンチ刃１１７０は、被穿孔材Ｐに穿孔される綴じ孔Ｈに対応した形状である。
【０１３４】
（パンチ体取付け部）
枢軸部１１８０は、パンチ本体１１７２の左端縁の近傍において、向こう側から手前側に向けて連続して形成された軸部を備える。
パンチ本体１１７２の手前側と向こう側とに分かれて突設された、第１軸部１１８２と第２軸部１１８４とを有している。
第１軸部１１８２は、ベース体１０１２のパンチ体取付け部１０８０の第１凹条１０８２に嵌入されて、パンチ体１０１４を回動するときの枢軸部を構成する。
第２軸部１１８４は、ベース体１０１２のパンチ体取付け部１０８０の第２凹条１０８４に嵌入されて、パンチ体１０１４を回動するときの枢軸部を構成する。
【０１３５】
ベース体１０１２の、パンチ体取付け部１０８０は、手前側と向こう側とに分かれて形成された、第１凹条１０８２と第２凹条１０８４とを備えている。ベース体１０１２のパンチ体取付け部１０８０は、
パンチ体１０１４を枢支するための断面略半円形の長い軸受溝１０８６を備えており、第１凹条１０８２と第２凹条１０８４との間の中央において形成されている。
軸受溝１０８６は、向こう側から手前側に向けて、すなわち被穿孔材Ｐの差し込み方向と直交する方向に向けて、パンチ体１０１４の枢軸部１１８０を取り付けるための溝状に形成されている。
軸受溝１０８６は、断面円形で、パンチ体１０１４を回動自在に取り付けられるように形成されている。
【０１３６】
第１凹条１０８２及び第２凹条１０８４は、手前側と向こう側とに分かれて形成された、第１軸受け部１０８０ａ及び第２軸受け部１０８０ｂに形成されている。
軸受溝１０８６は、中央において形成された、第３軸受け部１０８０ｃに形成されている。
第１軸受け部１０８０ａ及び第２軸受け部１０８０ｂは、ダイ部１０３０より上方に向けて突設されている。
第１軸受け部１０８０ａ及び第２軸受け部１０８０ｂ及び第３軸受け部１０８０ｃは、同一の高さ位置において、枢軸部１１８０を支持するように、その最も低い底部が同一の高さ位置において形成されている。
第１軸受け部１０８０ａ及び第２軸受け部１０８０ｂは、パンチ体１０１４の枢軸部１１８０を上方から枢支するように、パンチ体１０１４の上方から枢軸部１１８０を覆う庇状である。
【０１３７】
パンチ体取付け部１０８０は、前記第１軸受け部１０８０ａと第２軸受け部１０８０ｂとの間において、第３軸受け部１０８０ｃが形成されている。
第３軸受け部１０８０ｃは、パンチ体１０１４の枢軸部１８０を下方から枢支するように、下方からパンチ体１０１４の枢軸部１１８０を支持する溝状である。
【０１３８】
（パンチ体の位置決め部）
パンチ体１０１４のパンチ刃１１７０は、円柱状又は角柱状の柱であって、側壁部を備える。
案内係合凸部１１００は、パンチ体１０１４の円柱状又は角柱状の柱の側壁部に対応している。
案内係合凹部１２００は、案内係合凸部１１００の円柱状又は角柱状の柱の側壁部（パンチ体取付け部１０８０側の側壁面１２０８ａ及び被穿孔材載置面１０２８側の側壁面１２０８ｂ）に対応する係合面１２０２と、該係合面１２０２に続いて傾斜面１２０４とを有している。
案内係合凹部１２００は、横断面円形又は方形の側壁面（枢軸部１１８０側の側壁面１２０８ａ及びパンチ刃１１７０側の側壁面１２０８ｂ）を備る。側壁面１２０８ａ及び側壁面１２０８ｂは、係合面１２０２を構成している。
前記横断面円形又は方形の側壁面（枢軸部１１８０側の側壁面１２０８ａ及びパンチ刃１１７０側の側壁面１２０８ｂ）は、パンチ体１０１４のパンチ設置面と直交する。
【０１３９】
ベース体１０１２及びパンチ体１０１４は、枢支する軸の軸心の近傍において、ベース体１０１２のパンチ体１０１４との対向する面及びパンチ体１０１４のベース体１０１２との対向する面に、ベース体１０１２の穿孔孔とパンチ体１０１４のパンチ刃１１７０との相対的位置を決めるための案内係合凸部１１００及び案内係合凹部２００が形成されている。
パンチ本体１１７２は、その下面、すなわちベース体１０１２に対向する面に、パンチ刃１１７０を穿孔穴１０３２に精確に嵌入するための位置決めガイド部たる案内係合凹部２００が凹設されている。
案内係合凹部１２００は、パンチ刃１１７０をベース体１０１２の穿孔穴１０３２に嵌入されるとき、ベース体１０１２の案内係合凸部１１００に嵌合して、パンチ体１０１４のパンチ刃１１７０とベース体１０１２の穿孔穴１０３２との位置を精確に決定して、パンチ刃１１７０を穿孔穴１０３２に嵌入するように形成されている。
【０１４０】
パンチ体１０１４は、パンチ体１０１４のパンチ本体１１７２により被穿孔材Ｐを穿孔したとき、下面すなわちベース体１０１２のダイ部１０３０と対向する面に形成されたパンチ刃１１７０及び案内係合凸部１２００が、ベース体１０１２のパンチ設置面１０２４及び被穿孔材載置面１０２８と直交するように形成されている。
案内係合凹部１２００は、パンチ体１０１４のパンチ刃１１７０により被穿孔材Ｐを穿孔したとき、係合面１２０２が案内係合凸部１１００の柱面と嵌合するように、係合面１２０２がベース体１０１２のパンチ設置面１０２４及び被穿孔材載置面１０２８と直交する。
【０１４１】
パンチ体１０１４のパンチ刃１１７０は、円柱状の柱面（側壁部）の先端に刃先を備えている。
案内係合凸部１１００は、その頂部の近傍が断面半円弧状の膨出体である。
案内係合凸部１１００は、パンチ体１０１４のパンチ刃１１７０の円柱状の柱面（側壁部）に対応して、断面円形の柱面（側壁面）を備える。案内係合凸部１１００の断面円形の柱面（側壁面）は、パンチ体１０１４のパンチ刃１１７０の円柱状の柱面（側壁部）と略々平行である。
【０１４２】
案内係合凹部１２００は、断面半円弧状の係合面１２０２を有し、且つ該係合面１２０２に続いて、枢軸部１１８０とは反対側に形成された傾斜面１２０４を有している。
案内係合凹部１２００の係合面１２０２は、案内係合凸部１１００の半円弧状の係合面１２０２を係合する。
案内係合凹部１２００の傾斜面１２０４は、案内係合凹部１２００の開口部１２０６の周辺のパンチ本体１１７２の下面より枢軸部１１８０の側に向かうに従って徐々にその高さが高くなる仰角の面である。
開口部１２０６周辺のパンチ本体１１７２の下面と傾斜面１２０４との挟角は、略々１３０度ないし１４０度である。
パンチ体１０１４を枢軸部１１８０を枢軸として回動して穿孔するとき、案内係合凸部１１００が傾斜面１２０４を通過して、係合面１２０２内に収まる。
【０１４３】
（被穿孔材の位置決め部）
ダイ部１０３０は、穿孔穴１０３２より適宜な間隔をおいて、被穿孔材Ｐを当接させて位置決めするための当接部１０９０を突設されている。
当接部１０９０は、第１軸受け部１０８０ａの右側端縁の垂直壁面及び第２軸受け部８０ｂの右側端縁の垂直壁面に形成されている。
当接部１０９０は、穿孔穴１０３２を中心にして前後方向に分かれて形成されており、被穿孔材Ｐの差込方向に、穿孔穴１０３２より離れて形成されている。
【０１４４】
ベース体１０１２のベース本体１０２０は、その左端縁の近傍すなわち枢軸部１１８０寄りに、被穿孔材Ｐに穿孔するために被穿孔材載置面１０２８に差し込まれた被穿孔材Ｐを上から抑えるための被穿孔材押え部１０９２がダイ部１０３０に向けて突設されている。
被穿孔材押え部１０９２は、ベース体１０１２のベース本体１０２０の左端において上方に向けて突設された第１隆起部１２４０と第２隆起部１２４２から突き出されている。被穿孔材押え部１０９２は、穿孔穴１０３２の外側において、前後に分かれた第１押え部１０９２ａと第２押え部１０９２ｂとを有している。
被穿孔材押え部１０９２は、被穿孔材Ｐを穿孔した後、パンチ体１０１４を上方に向けて回動したときの被穿孔材Ｐの浮き上がりを防止する。
【０１４５】
ベース体１０１２は、ポリアセタール樹脂（ＰＯＭ）等の機械的強度に優れた合成樹脂で一体形成されている。
パンチ体１０１４は、ポリアセタール樹脂（ＰＯＭ）等の機械的強度に優れた合成樹脂で一体形成されている。
【０１４６】
（カバー体）
カバー体１３００は、図３７に示すように、綴じ具Ｂを備えたファイル・バインダーの表紙であって、表表紙１３０２と、裏表紙１３０４と、表表紙１３０２及び裏表紙１３０４にヒンジ部１３０８を介して連設された背表紙１３０６とを有する。
【０１４７】
パンチ１０１０は、カバー体１３００の表表紙１３０２に付設されている。
パンチ１０１０を付設される表表紙１３０２は、図３７及び４０に示すように、ヒンジ部１３０８とは反対側の自由端１３１０に、パンチ１０１０のベース体１０１２の立ち上がり部１０２６を嵌合するための取付け凹部１３１２が切り欠き形成されている。
取付け凹部１３１２は、ベース体１０１２の立ち上がり部１０２６を嵌挿するに適するように、立ち上がり部１０２６の外周縁の形状に対応して略々相似形に形成されている。
【０１４８】
カバー体１３００は、取付け凹部１３１２の周縁に、パンチ１０１０のベース体１０１２を取付けるためのカバーの取付け部１３１４が形成されている。カバーの取付け部１３１４は、パンチ１０１０のベース体１０１２及び取付け体１０１６が取り付けられている。
カバーの取付け部１３１４は、ベース体１０１２の第１取付け部１１４０及び取付け体１０１６の第１取付け部１０４０を取付ける領域を構成するカバーの第１取付け部１３２０と、ベース体１０１２の第２取付け部１１５０及び取付け体１０１６の第２取付け部１０５０を取付ける領域を構成するカバーの第２取付け部１３３０と、ベース体１０１２の第３取付け部１１６０及び取付け体１０１６の第３取付け部１０６０を取付ける領域を構成するカバーの第３取付け部１３４０とを備える。
【０１４９】
カバー体接合面１０２２にカバー体１３００の一方主面（外側面）が接合する。
カバー体１３００の他方主面（内側面）は、取付け体１０１６の第１取付け部１０４０の第１接合部１２３０に、接合する。
カバー体１３００の他方主面（内側面）は、取付け体１０１６の第２取付け部１０５０の第２接合部１２３２に接合する。
カバー体１３００の他方主面（内側面）は、取付け体１０１６の第３取付け部１０６０の第３接係合部１２３４に接合する。
【０１５０】
カバーの第１取付け部１３２０は、第１立ち上がり部１１５４の第１取付け部１１４０側の壁面に当接する第１接合縁１３２６を有する。
カバーの第１取付け部１３２０は、その外側面がベース体１０１２の第１取付け部１１４０の第１接合面１１２０に接合し、その内側面が取付け体１０１６の第１接合部１２３０に接合する。
【０１５１】
カバーの第２取付け部１３３０は、ベース体１０１２の第３取付け部１１６０の第１立ち上がり部１１５４に当接する第２接合縁１３３６有する。
カバーの第２取付け部１３３０は、その内側面が第２取付け部１１５０の第１突出部１１５２の下面に接合する。
【０１５２】
カバーの第３取付け部１３４０は、第１立ち上がり部１１５４の第３取付け部１１６０側の壁面に当接する第３接合縁１３４６を有する。
カバーの第３取付け部１３４０は、その第２接合領域１３３８の外周面がベース体１０１２の第３取付け部１１６０の第３接合面１１２４に接合し、その第２接合領域１３３８の内側面が取付け体１０１６の第３接合部１２３４に接合する。
【０１５３】
カバーの第１取付け部１３２０は、取付け凹部１３１２の上側縁において、右側と左側とに分かれて、ベース体１０１２の第２取付け部１１５０を取付けるための第１取付け貫通孔１３２２及び第２取付け貫通孔１３２４が穿設されている。
カバーの第１取付け部１３２０の第１取付け貫通孔１３２２及び第２取付け貫通孔１３４４は、第１接合領域１３２８に形成されている。
カバーの第３取付け部１３４０は、取付け凹部１３１２の下端縁において、右側と左側とに分かれて、ベース体１０１２の第３取付け部１０６０を取付けるための第１取付け貫通孔１３４２及び第２取付け貫通孔１３４４が穿設されている。
カバーの第３取付け部１３４０の第１取付け貫通孔１３４２及び第２取付け貫通孔１３４４は、第３接合領域１３４８に形成されている。
【０１５４】
ベース体１０１２は、カバー体１３００の外側面である表表紙１３０２の表紙に接し合わされ、ダイ部１０３０が、カバー体１３００の取付け凹部１３１２に嵌め合わされている。
【０１５５】
カバー体１３００に取り付けられた、ベース体１０１２とパンチ体１０１４とからなるパンチユニットの高さは、低く、パンチ体１０１４の高さは、一対のヒンジ部１３０８の間に形成された背表紙１３０６の幅よりも低い。
【０１５６】
この発明にかかるパンチ付きファイルは、カバー体１３００に取り付けられたパンチ１０１０が、カバー体１３００の一方の主面に配設されるベース体１０１２と、前記ベース体１０１２及び／又は取付け体に配設されたパンチ体１０１４とを備え、前記取付け体がベース体１０１２に連結されて、取付け体とベース体１０１２との間にカバー体１３００が挟持され、前記パンチ体１０１４は、被穿孔材Ｐを穿孔するパンチ刃１１６０をベース体１０１２に向けて突設され、ベース体１０１２は、前記パンチ体１０１４のパンチ刃１１６０を挿入する穿孔穴１０３２が形成されたダイを設けられ、穿孔穴１０３２は、穿孔方向の先であって穿孔穴１０３２の少なくとも一部を覆うかす受け体１３５０が配設されている。
ダイ部１０３０は、穿孔方向の先であって穿孔穴１０３２の少なくとも一部を覆うかす受け体１３５０が配設されている。
【０１５７】
カバー体１３００は、ポリプロピレン等の合成樹脂シートからなる。
【０１５８】
カバー体１３００は、
パンチ刃１１７０によって穿孔される貫通孔（綴じ孔Ｈ）が複数個穿孔するときに、
貫通孔（綴じ孔Ｈ）の間の間隔を決定するための指標部１３６０が形成され、
及び／又は、
貫通孔（綴じ孔Ｈ）の間の中央が被穿孔材の中央に位置するように決定するための指標部１３６０が形成されている。
【０１５９】
パンチ体１４のパンチ刃１６０は、側壁部がテーパー状の円柱状又は角柱状であってもよい（図５４参照）。
ベース体１２の案内係合凸部１００は、側壁面１０２及び側壁面１０４が下方に向かうに従って広がるテーパー状であってもよい（図５５参照）。
パンチ体１４の案内係合凹部２００は、係合面２０２（側壁面２０８ａ及び側壁面２０８ｂ）が下方に向かうに従って広がるテーパー状であってもよい（図５６参照）。
【０１６０】
案内係合凸部１００は、ベース体１２に形成しているが、パンチ体１４に形成してもよい。
案内係合凹部２００は、パンチ体１４に形成しているが、ベース体１２に形成してもよい。
案内係合凸部１１００は、ベース体１０１２に形成しているが、パンチ体１０１４に形成してもよい。
案内係合凹部１２００は、パンチ体１０１４に形成しているが、ベース体１０１２に形成してもよい。
【産業上の利用可能性】
【０１６１】
この発明に係る綴じ具は、ファイル・バインダ等の用箋等を綴じる綴じ具として用いることができる。
この発明にかかるパンチ付ファイルは、バインダ等の書類挟み等の表紙を備えたものに広く利用できる。
【符号の説明】
【０１６２】
１０  パンチ
１２  ベース体
２０  ベース本体
２２  カバー体接合面
２４  パンチ設置面
２６  立ち上がり部
２８  被穿孔材載置面
２８ａ  第１載置面
２８ｂ  第２載置面
３０  ダイ部
３２  穿孔穴
３６  突出部
３８  カバー体取付け凸部
９０  当接部
１００  案内係合凸部
１０２  側壁面
１０４  側壁面
１６  取付け体
４０  第１取付け部
４２  第１突出部
４６  第２突出部
４４  第１立ち上がり部
４８  第２立ち上がり部
５０  第２取付け部
５２  第１突出部
５６  第２突出部
５４  第１立ち上がり部
５８  第２立ち上がり部
３８ａ  第１カバー体取付け凸部
６０  第３取付け部
６２  第１突出部
６６  第２突出部
６４  第１立ち上がり部
６８  第２立ち上がり部
３８ｂ  第２カバー体取付け凸部
８０  パンチ体取付け部
８０ａ  第１軸受け部
８０ｂ  第２軸受け部
８０ｃ  第３軸受け部
８０ｄ  第４軸受け部
８０ｅ  第５軸受け部
８２  第１凹条
８２ａ  進入路
８４  第２凹条
８４ａ  進入路
８６  第３凹条
８８ａ  軸受溝
８８ｂ  軸受溝
９０  当接部
１００  案内係合凸部
１３０  進入孔
１３２  （上側の）孔壁
１３４  （下側の）孔壁
１４  パンチ体
１６０  パンチ刃
１７０  パンチ体本体
１８０  枢軸部
１８２  第１軸部
１８４  第２軸部
２００  案内係合凹部
２０２  係合面
２０４  傾斜面
２０６  開口部
２０８ａ  側壁面
２０８ｂ  側壁面
３００  カバー体
３０２  表表紙
３０４  裏表紙
３０６  背表紙
３０８  ヒンジ部
３１０  自由端
３１２  取付け凹部
３１４  カバーの取付け部
３２０  カバーの第１取付け部
３２６ａ  第１接合縁
３２６ｂ  第２接合縁
３２８ａ  第１嵌挿面
３２８ｂ  第２嵌挿面
３３０  カバーの第２取付け部
３３２  第１取付け貫通孔
３３４  第２取付け貫通孔
３３６ａ  第１接合縁
３３６ｂ  第２接合縁
３３８ａ  第１嵌挿面
３３８ｂ  第２嵌挿面
３４０  カバーの第３取付け部
３４２  第１取付け貫通孔
３４４  第２取付け貫通孔
３４６ａ  第１接合縁
３４６ｂ  第２接合縁
３４８ａ  第１嵌挿面
３４８ｂ  第２嵌挿面
３５０  かす受け体
９２  被穿孔材押え部
９２ａ  第１押え部
９２ｂ  第２押え部
９４  凸条
１０１０  パンチ
１０１２  ベース体
１０２０  ベース本体
１０２２  カバー体接合面
１０２４  パンチ設置面
１０２６  立ち上がり部
１０２８  被穿孔材載置面
１０２８ａ  第１載置面
１０２８ｂ  第２載置面
１０３０  ダイ部
１０３２  穿孔穴
１０３６  突出部
１０３８  カバー体取付け凸部
１１１６  取付け体取付け部
１１４０  第１取付け部
１１４２  第１係合部
１１４４  第２係合部
１１５０  第２取付け部
１１５２  第１突出部
１１５４  第１立ち上がり部
１１５６  第１連結部
１１５８  第２連結部
１１６０  第３取付け部
１１６２  第１係合部
１１６４  第２係合部
１１２０  第１接合面
１１２２  第２接合面
１１２４  第３接合面
１０１６  取付け体
１０４０  第１取付け部
１０４２  第１係合部
１０４４  第２係合部
１０５０  第２取付け部
１０５２  係止凹部
１０５６  第１連結部
１０５８  第２連結部
１０３８  カバー体取付け凸部
１０６０  第３取付け部
１０６２  第１係合部
１０６４  第２係合部
１０３８  カバー体取付け凸部
１１６２  第１係合部
１１６４  第２係合部
１０８０  パンチ体取付け部
１０８０ａ  第１軸受け部
１０８０ｂ  第２軸受け部
１０８０ｃ  第３軸受け部
１０８２  第１凹条
１０８２ａ  進入路
１０８４  第２凹条
１０８４ａ  進入路
１０８６  軸受溝
１０１６  取付け体
１２１２  パンチ刃通過部
１２１０  取付け体本体
１２１４  ベース体取付け部
１２２２  カバー体接合面
１２３０  第１接合部
１２３２  第２接合部
１２３４  第３接合部
１２４０  第１隆起部
１２４２  第２隆起部
１０９０  当接部
１１００  案内係合凸部
１１３０  進入孔
１１３２  （上側の）孔壁
１１３４  （下側の）孔壁
１０１４  パンチ体
１１７０  パンチ刃
１１７２  パンチ体本体
１１８０  枢軸部
１１８２  第１軸部
１１８４  第２軸部
１２００  案内係合凹部
１２０２  係合面
１２０４  傾斜面
１２０６  開口部
１２０８ａ  側壁面
１２０８ｂ  側壁面
１３００  カバー体
１３０２  表表紙
１３０４  裏表紙
１３０６  背表紙
１３０８  ヒンジ部
１３１０  自由端
１３１２  取付け凹部
１３１４  カバーの取付け部
１３２０  カバーの第１取付け部
１３２２  第１取付け貫通孔
１３２４  第２取付け貫通孔
１３２６第１接合縁
１３２８  第１接合領域
１３３０  カバーの第２取付け部
１３３６  第２接合縁
１３３８  第２接合領域
１３４０  カバーの第３取付け部
１３４２  第１取付け貫通孔
１３４４  第２取付け貫通孔
１３４６  第３接合縁
１３４８  第３接合領域
１３５０  かす受け体
１３６０  指標部
１０９２  被穿孔材押え部
１０９２ａ  第１押え部
１０９２ｂ  第２押え部
Ｐ  被穿孔材
Ｈ  綴じ孔
Ｂ  綴じ具
Ｐｄ  かす
【図１】
2016124058.tif 000003
【図２】
2016124058.tif 000004
【図３】
2016124058.tif 000005
【図４】
2016124058.tif 000006
【図５】
2016124058.tif 000007
【図６】
2016124058.tif 000008
【図７】
2016124058.tif 000009
【図８】
2016124058.tif 000010
【図９】
2016124058.tif 000011
【図１０】
2016124058.tif 000012
【図１１】
2016124058.tif 000013
【図１２】
2016124058.tif 000014
【図１３】
2016124058.tif 000015
【図１４】
2016124058.tif 000016
【図１５】
2016124058.tif 000017
【図１６】
2016124058.tif 000018
【図１７】
2016124058.tif 000019
【図１８】
2016124058.tif 000020
【図１９】
2016124058.tif 000021
【図２０】
2016124058.tif 000022
【図２１】
2016124058.tif 000023
【図２２】
2016124058.tif 000024
【図２３】
2016124058.tif 000025
【図２４】
2016124058.tif 000026
【図２５】
2016124058.tif 000027
【図２６】
2016124058.tif 000028
【図２７】
2016124058.tif 000029
【図２８】
2016124058.tif 000030
【図２９】
2016124058.tif 000031
【図３０】
2016124058.tif 000032
【図３１】
2016124058.tif 000033
【図３２】
2016124058.tif 000034
【図３３】
2016124058.tif 000035
【図３４Ａ】
2016124058.tif 000036
【図３４Ｂ】
2016124058.tif 000037
【図３５】
2016124058.tif 000038
【図３６】
2016124058.tif 000039
【図３７】
2016124058.tif 000040
【図３８】
2016124058.tif 000041
【図３９】
2016124058.tif 000042
【図４０】
2016124058.tif 000043
【図４１】
2016124058.tif 000044
【図４２】
2016124058.tif 000045
【図４３】
2016124058.tif 000046
【図４４】
2016124058.tif 000047
【図４５】
2016124058.tif 000048
【図４６】
2016124058.tif 000049
【図４７】
2016124058.tif 000050
【図４８】
2016124058.tif 000051
【図４９】
2016124058.tif 000052
【図５０】
2016124058.tif 000053
【図５１】
2016124058.tif 000054
【図５２Ａ】
2016124058.tif 000055
【図５２Ｂ】
2016124058.tif 000056
【図５３】
2016124058.tif 000057
【図５４】
2016124058.tif 000058
【図５５】
2016124058.tif 000059
【図５６】
2016124058.tif 000060